(57)【要約】      （修正有）【課題】基地局、ユーザ機器、及び基地局間キャリアアグリゲーションのための測定方法を提供する。【解決手段】ユーザ機器（ＵＥ）の一次基地局は、一次基地局とＵＥの二次基地局との間のタイミングオフセットを二次基地局へ送信する。二次基地局は、一次基地局からタイミングオフセットを受信し、補正済み測定間隔情報を、測定間隔情報と前記タイミングオフセットとに従って取得する。測定間隔情報は、ＵＥにより、測定間隔情報により示される測定間隔期間において測定を実行するのに用いられる。二次基地局は更に補正済み測定間隔情報により示される測定間隔期間において、ＵＥをスケジューリングすることを停止する。【選択図】図９Ａ
2018198431.tif 000002
【特許請求の範囲】
【請求項１】
基地局間キャリアアグリゲーションに利用される基地局であって、
補正済み測定間隔情報を取得する取得モジュールであって、前記補正済み測定間隔情報は、測定間隔情報と、ユーザ機器（ＵＥ）の一次基地局と前記基地局との間のタイミングオフセットとに従って取得され、前記測定間隔情報は、前記ＵＥにより、前記測定間隔情報により示される測定間隔期間において測定を実行するのに用いられる、取得モジュールと、
前記補正済み測定間隔情報により示される測定間隔期間において前記ＵＥをスケジューリングすることを停止する処理モジュールと
を備える
基地局。
【請求項２】
前記取得モジュールは、前記一次基地局から前記補正済み測定間隔情報を受信することによって、補正済み測定間隔情報を取得する、
請求項１に記載の基地局。
【請求項３】
前記取得モジュールは、
前記一次基地局から前記タイミングオフセットを受信し、
前記測定間隔情報と前記タイミングオフセットとに従って、前記補正済み測定間隔情報を計算する、
請求項１に記載の基地局。
【請求項４】
前記補正済み測定間隔情報及び前記測定間隔情報は、同じ測定期間を含み、
前記補正済み測定間隔情報は、第１オフセットを含み、前記測定間隔情報は、第２オフセットを含み、前記第１オフセットは、前記第２オフセットと前記タイミングオフセットとの合計に対して前記測定期間でモジュロ演算が実行された後に得られる値である、
請求項１から３の何れか一項に記載の基地局。
【請求項５】
前記測定間隔情報に示される前記測定間隔期間は、Ｍ個の連続サブフレームの時間間隔を含み、ここで、Ｍは正の整数であり、
前記補正済み測定間隔情報に示される前記測定間隔期間は、Ｎ個の連続サブフレームの時間間隔を含み、ここで、Ｎは正の整数であり、前記Ｎ個のサブフレームは、前記Ｍ個のサブフレームを含む、
請求項１から４の何れか一項に記載の基地局。
【請求項６】
前記Ｍの値が６であり、前記Ｎの値が７である、
請求項５に記載の基地局。
【請求項７】
基地局間キャリアアグリゲーションに利用される基地局であって、
ユーザ機器（ＵＥ）に、インディケーション情報を含むメッセージを送信する送信モジュールであって、前記インディケーション情報は、前記基地局と前記ＵＥの二次基地局との間のタイミングオフセットを報告するよう前記ＵＥに要求するのに用いられる、送信モジュールと、
前記ＵＥから前記タイミングオフセットを受信する取得モジュールと
を備え、
前記タイミングオフセットは、前記二次基地局により、補正済み測定間隔情報を取得するのに用いられ、前記補正済み測定間隔情報は、前記二次基地局が前記補正済み測定間隔情報により示される測定間隔期間において前記ＵＥをスケジューリングすることを停止することを示すのに用いられる、
基地局。
【請求項８】
前記送信モジュールはさらに、前記二次基地局に、前記タイミングオフセットを送信する、
請求項７に記載の基地局。
【請求項９】
前記インディケーション情報を含む前記メッセージは、無線リソース制御（ＲＲＣ）接続再構成メッセージである、
請求項７又は８に記載の基地局。
【請求項１０】
基地局間キャリアアグリゲーションに利用されるユーザ機器（ＵＥ）であって、
一次基地局からインディケーション情報を含むメッセージを受信する受信モジュールであって、前記インディケーション情報は、前記一次基地局と二次基地局との間のタイミングオフセットを報告するよう前記ＵＥに要求するのに用いられる、受信モジュールと、
前記一次基地局に、前記タイミングオフセットを送信する送信モジュールと
を備え、
前記タイミングオフセットは、前記二次基地局により、補正済み測定間隔情報を取得するのに用いられ、前記補正済み測定間隔情報は、前記二次基地局が前記補正済み測定間隔情報により示される測定間隔期間において前記ＵＥをスケジューリングすることを停止することを示すのに用いられる、
ユーザ機器（ＵＥ）。
【請求項１１】
前記インディケーション情報を含む前記メッセージは、無線リソース制御（ＲＲＣ）接続再構成メッセージである、
請求項１０に記載のＵＥ。
【請求項１２】
基地局間キャリアアグリゲーションのための測定方法であって、
ユーザ機器（ＵＥ）の二次基地局により、補正済み測定間隔情報を取得する段階であって、前記補正済み測定間隔情報は、測定間隔情報と、前記ＵＥの一次基地局と前記二次基地局との間のタイミングオフセットとに従って取得され、前記測定間隔情報は、前記ＵＥにより、前記測定間隔情報により示される測定間隔期間において測定を実行するのに用いられる、段階と、
前記二次基地局により、前記補正済み測定間隔情報により示される測定間隔期間において前記ＵＥをスケジューリングすることを停止する段階と
を備える
方法。
【請求項１３】
二次基地局により、補正済み測定間隔情報を取得する前記段階は、前記一次基地局から前記補正済み測定間隔情報を受信することによって、実行される、
請求項１２に記載の方法。
【請求項１４】
二次基地局により、補正済み測定間隔情報を取得する前記段階は、前記一次基地局から前記タイミングオフセットを受信することと、前記測定間隔情報と前記タイミングオフセットとに従って、前記補正済み測定間隔情報を計算することとによって、実行される、
請求項１２に記載の方法。
【請求項１５】
前記補正済み測定間隔情報及び前記測定間隔情報は、同じ測定期間を含み、
前記補正済み測定間隔情報は、第１オフセットを含み、前記測定間隔情報は、第２オフセットを含み、前記第１オフセットは、前記第２オフセットと前記タイミングオフセットとの合計に対して前記測定期間でモジュロ演算が実行された後に得られる値である、
請求項１２から１４の何れか一項に記載の方法。
【請求項１６】
前記測定間隔情報により示される前記測定間隔期間は、Ｍ個の連続サブフレームの時間間隔を含み、ここで、Ｍは正の整数であり、
前記補正済み測定間隔情報により示される前記測定間隔期間は、Ｎ個の連続サブフレームの時間間隔を含み、ここで、Ｎは正の整数であり、前記Ｎ個のサブフレームは、前記Ｍ個のサブフレームを含む、
請求項１２から１５の何れか一項に記載の方法。
【請求項１７】
前記Ｍの値が６であり、前記Ｎの値が７である、
請求項１６に記載の方法。
【請求項１８】
基地局間キャリアアグリゲーションのための測定方法であって、
一次基地局により、ユーザ機器（ＵＥ）にインディケーション情報を含むメッセージを送信する段階であって、前記インディケーション情報、前記一次基地局と前記ＵＥの二次基地局との間のタイミングオフセットを報告するよう前記ＵＥに要求するのに用いられる、段階と、
前記一次基地局により、前記ＵＥから前記タイミングオフセットを受信する段階と
を備え、
前記タイミングオフセットは、前記二次基地局により、補正済み測定間隔情報を取得するのに用いられ、前記補正済み測定間隔情報は、前記二次基地局が、前記補正済み測定間隔情報により示される測定間隔期間において前記ＵＥをスケジューリングすることを停止することを示すのに用いられる、
方法。
【請求項１９】
前記一次基地局により、前記二次基地局に前記タイミングオフセットを送信する段階
をさらに備える
請求項１８に記載の方法。
【請求項２０】
前記インディケーション情報を含む前記メッセージは、無線リソース制御（ＲＲＣ）接続再構成メッセージである、
請求項１８又は１９に記載の方法。
【請求項２１】
基地局間キャリアアグリゲーションのための測定方法であって、
ユーザ機器（ＵＥ）により、前記ＵＥの一次基地局からインディケーション情報を含むメッセージを受信する段階であって、前記インディケーション情報は、前記一次基地局と前記ＵＥの二次基地局との間のタイミングオフセットを報告するよう前記ＵＥに要求するのに用いられる、段階と、
前記ＵＥにより、前記タイミングオフセットを送信する段階と
を備え、
前記タイミングオフセットは、前記二次基地局により、補正済み測定間隔情報を取得するのに用いられ、前記補正済み測定間隔情報は、前記二次基地局が、前記補正済み測定間隔情報により示される測定間隔期間において前記ＵＥをスケジューリングすることを停止することを示すのに用いられる、
方法。
【請求項２２】
前記インディケーション情報を含む前記メッセージは、無線リソース制御（ＲＲＣ）接続再構成メッセージである、
請求項２１に記載の方法。
【発明の詳細な説明】
【技術分野】
【０００１】
本発明の複数の実施形態は、複数の通信技術に関し、特に、基地局、ユーザ機器、及び基地局間キャリアアグリゲーションのための測定方法に関する。
【背景技術】
【０００２】
複数のモバイル通信システムの発達に伴い、それらのシステムは、益々高品質のサービスを提供することができる。モバイル通信の第３世代パートナーシッププロジェクト（３ＧＰＰ）の長期的競争有利性を維持し、システムスペクトル効率性及びユーザスループットをさらに向上させるため、キャリアアグリゲーション（ＣＡ）が導入されている。キャリアアグリゲーションは、ユーザ機器（ＵＥ）が複数のセルを同時に用いてアップリンク及びダウンリンク通信を実行することができることを指し、高速のデータ伝送をサポートする。
【０００３】
キャリアアグリゲーションは、基地局内キャリアアグリゲーション又は基地局間キャリアアグリゲーションであり得る。基地局内キャリアアグリゲーションは、１つのＵＥに対して、集合された複数のサービングセルが全て同じ基地局に属することを指す。基地局間キャリアアグリゲーションは、１つのＵＥに対して、複数のサービング基地局において、１つの基地局が一次基地局（Ｐｒｉｍａｒｙ  Ｂａｓｅ  Ｓｔａｔｉｏｎ又はＭａｓｔｅｒ  Ｂａｓｅ  Ｓｔａｔｉｏｎ）であってよく、又は、アンカー基地局と称され、別の基地局が二次基地局であってよいことを指し、ここで、一次基地局は、より多くの制御機能を実行するのに用いられる。ロングタームエボリューション（ＬＴＥ）又はＬＴＥ−アドバンスト（ＬＴＥ−Ａ）では、一次基地局はまた、一次ｅＮＢ（ＰｅＮＢ）又はマスタｅＮＢ（ＭｅＮＢ）と称されてもよい。
【０００４】
基地局間キャリアアグリゲーションが導入された後、測定機構を如何に設計するかが、本発明において解決する必要のある問題である。
【発明の概要】
【０００５】
本発明の複数の実施形態では、基地局、ユーザ機器、及び基地局間キャリアアグリゲーションのための測定方法を提供し、基地局間キャリアアグリゲーションのための測定機構を如何に設計するかという問題を解決する。
【０００６】
第１態様によれば、本発明の実施形態では、基地局を提供し、当該基地局は、補正済み測定間隔情報を取得するよう構成される取得モジュールであって、補正済み測定間隔情報は、測定間隔情報と、基地局とＵＥの二次基地局との間のタイミングオフセットとに従って取得され、測定間隔情報は、基地局により、測定間隔情報により示される測定間隔期間において測定を実行するようＵＥに命令するのに用いられる、取得モジュールと、二次基地局に補正済み測定間隔情報を送信するよう構成される送信モジュールであって、これにより、二次基地局は、補正済み測定間隔情報により示される測定間隔期間においてＵＥをスケジューリングすることを停止する、送信モジュールとを備える。
【０００７】
第１態様に関連して、第１態様の第１の可能な実施例では、取得モジュールは、測定間隔情報とタイミングオフセットとに従って補正済み測定間隔情報を計算し、又は、測定間隔情報とタイミングオフセットとに従って計算されＵＥにより送信された補正済み測定間隔情報を受信するよう具体的に構成される。
【０００８】
第１態様の第１の実装方式に関連して、第１態様の第２の実装方式では、送信モジュールは、タイミングオフセットを取得してそのタイミングオフセットを一次基地局に報告するようＵＥに要求するのに用いられる要求メッセージをＵＥに送信し、又は、タイミングオフセットを報告するようＵＥに要求するのに用いられるインディケーション情報を含むメッセージをＵＥに送信するようさらに構成され、又は、取得モジュールは、事前にＵＥとネゴシエートした、タイミングオフセットを報告するのに用いられる時機を用いて、ＵＥにより報告されるタイミングオフセットを受信するようさらに構成される。
【０００９】
第１態様に関連して、第１態様の第３の実装方式では、送信モジュールは、無線リソース制御（ＲＲＣ）接続再構成メッセージをＵＥに送信するようさらに構成され、ＲＲＣ接続再構成メッセージは、測定間隔情報を含み、取得モジュールは、ＵＥにより送信されたＲＲＣ接続再構成完了メッセージを受信するよう具体的に構成され、ＲＲＣ接続再構成完了メッセージは、測定間隔情報とタイミングオフセットとに従ってＵＥにより計算された補正済み測定間隔情報を含む。
【００１０】
第１態様又は第１態様の第１から第３の実装方式のうちの何れか１つに関連して、第１態様の第４の実装方式では、補正済み測定間隔情報及び測定間隔情報は、同じ測定期間を含み、補正済み測定間隔情報は、第１オフセットを含み、測定間隔情報は、第２オフセットを含み、その第１オフセットは、第２オフセットとタイミングオフセットとの合計に対して測定期間でモジュロ演算が実行された後に得られる値である。
【００１１】
第１態様又は第１態様の第１から第４の実装方式のうちの何れか１つに関連して、第１態様の第５の実装方式では、測定間隔情報により示される測定間隔期間は、Ｍ個の連続サブフレームの時間間隔を含み、ここで、Ｍは正の整数であり、補正済み測定間隔情報により示される測定間隔期間は、Ｎ個の連続サブフレームの時間間隔を含み、ここで、Ｎは正の整数であり、Ｎ個のサブフレームは、Ｍ個のサブフレームを含む。
【００１２】
第２態様によれば、本発明の実施形態では、基地局を提供し、当該基地局は、補正済み測定間隔情報を取得するよう構成される取得モジュールであって、補正済み測定間隔情報は、測定間隔情報と、ＵＥの一次基地局と基地局との間のタイミングオフセットとに従って取得され、測定間隔情報は、一次基地局により、測定間隔情報により示される測定間隔期間において測定を実行するようＵＥに命令するのに用いられる、取得モジュールと、補正済み測定間隔情報により示される補正済み測定間隔期間においてＵＥをスケジューリングすることを停止するよう構成される処理モジュールとを備える。
【００１３】
第２態様に関連して、第２態様の第１の可能な実施例では、取得モジュールは、一次基地局により送信された補正済み測定間隔情報を受信し、又は、測定間隔情報とタイミングオフセットとに従って補正済み測定間隔情報を計算するよう具体的に構成される。
【００１４】
第２態様又は第１の実装方式の第２態様に関連して、第２態様の第２の実装方式では、取得モジュールは、測定間隔情報とタイミングオフセットとに従って一次基地局により計算される補正済み測定間隔情報を受信し、又は、測定間隔情報とタイミングオフセットとに従ってＵＥにより計算され一次基地局により送信された補正済み測定間隔情報を受信し、若しくは、測定間隔情報とタイミングオフセットとに従って補正済み測定間隔情報を計算するよう具体的に構成される。
【００１５】
第２態様、若しくは第２態様の第１又は第２の実装方式に関連して、第２態様の第３の実装方式では、補正済み測定間隔情報及び測定間隔情報は、同じ測定期間を含み、補正済み測定間隔情報は、第１オフセットを含み、測定間隔情報は、第２オフセットを含み、その第１オフセットは、第２オフセットとタイミングオフセットとの合計に対して測定期間でモジュロ演算が実行された後に得られる値である。
【００１６】
第２態様又は第２態様の第１から第３の実装方式のうちの何れか１つに関連して、第２態様の第４の実装方式では、測定間隔情報により示される測定間隔期間は、Ｍ個の連続サブフレームの時間間隔を含み、ここで、Ｍは正の整数であり、補正済み測定間隔情報により示される測定間隔期間は、Ｎ個の連続サブフレームの時間間隔を含み、ここで、Ｎは正の整数であり、Ｎ個のサブフレームは、Ｍ個のサブフレームを含む。
【００１７】
第３態様によれば、本発明の実施形態では、ＵＥを提供し、当該ＵＥは、ＵＥの一次基地局により送信された測定間隔情報を受信するよう構成される受信モジュールであって、測定間隔情報は、測定間隔情報により示される測定間隔期間において測定を実行するようＵＥに命令するのに用いられる、受信モジュールと、一次基地局とＵＥの二次基地局との間のタイミングオフセットを一次基地局に送信するよう構成される送信モジュールであって、これにより、一次基地局は、タイミングオフセットに従って補正済み測定間隔情報を取得する、送信モジュール、又は測定間隔情報と、一次基地局とＵＥの二次基地局との間のタイミングオフセットとに従って計算された補正済み測定間隔情報を一次基地局に送信するよう構成される送信モジュールであって、補正済み測定間隔情報は、一次基地局により、補正済み測定間隔情報により示される測定間隔期間においてＵＥをスケジューリングすることを停止するよう二次基地局に命令するのに用いられる、送信モジュールとを備える。
【００１８】
第３態様に関連して、第３態様の第１の可能な実施例では、受信モジュールは、ＲＲＣ接続再構成メッセージを用いて、一次基地局により送信される測定間隔情報を受信するよう具体的に構成され、送信モジュールは、ＲＲＣ接続再構成完了メッセージを用いて、補正済み測定間隔情報を一次基地局に送信するよう具体的に構成される。
【００１９】
第３態様に関連して、第３態様の第２の可能な実装方式では、送信モジュールは、一次基地局により送信された要求メッセージが受信された後に、タイミングオフセットを送信するよう具体的に構成され、タイミングオフセット要求メッセージは、タイミングオフセットを取得してそのタイミングオフセットを一次基地局に報告するようＵＥに要求するのに用いられ、又は、インディケーション情報を含み、一次基地局によりＵＥに送信されたメッセージが受信された後に、タイミングオフセットを送信するよう具体的に構成され、インディケーション情報は、タイミングオフセットを取得してそのタイミングオフセットを一次基地局に報告するようＵＥに要求するのに用いられ、若しくは、事前に一次基地局とネゴシエートした、タイミングオフセットを報告するのに用いられる時機を用いて、一次基地局にタイミングオフセットを送信するよう具体的に構成される。
【００２０】
第４態様によれば、本発明の実施形態では、基地局間キャリアアグリゲーションのための測定方法を提供し、当該方法は、ＵＥの一次基地局により、補正済み測定間隔情報を取得する段階であって、補正済み測定間隔情報は、測定間隔情報と、一次基地局とＵＥの二次基地局との間のタイミングオフセットとに従って取得され、測定間隔情報は、一次基地局により、測定間隔情報により示される測定間隔期間において測定を実行するようＵＥに命令するのに用いられる、段階と、一次基地局により、補正済み測定間隔情報を二次基地局に送信する段階であって、これにより、二次基地局は、補正済み測定間隔情報により示される測定間隔期間においてＵＥをスケジューリングすることを停止する、段階とを備える。
【００２１】
第４態様に関連して、第４態様の第１の実装方式では、一次基地局により、補正済み測定間隔情報を取得する段階は、一次基地局により、測定間隔情報とタイミングオフセットとに従って補正済み測定間隔情報を計算する段階、又は、一次基地局により、測定間隔情報とタイミングオフセットとに従って計算されＵＥにより送信された補正済み測定間隔情報を受信する段階を含む。
【００２２】
第４態様の第１の実装方式に関連して、第４態様の第２の実装方式では、一次基地局により、測定間隔情報とタイミングオフセットとに従って補正済み測定間隔情報を計算する段階の前に、方法は、一次基地局により、要求メッセージをＵＥに送信する段階であって、要求メッセージは、タイミングオフセットを取得してそのタイミングオフセットを一次基地局に報告するようＵＥに要求するのに用いられる、段階、又は、一次基地局により、インディケーション情報を含むメッセージをＵＥに送信する段階であって、インディケーション情報は、タイミングオフセットを報告するようＵＥに要求するのに用いられる、段階、若しくは、事前にＵＥとネゴシエートした、タイミングオフセットを報告するのに用いられる時機を用いて、一次基地局により、ＵＥにより報告されたタイミングオフセットを受信する段階を備える。
【００２３】
第４態様の第１の実装方式に関連して、第４態様の第３の実装方式では、方法は、一次基地局により、ＲＲＣ接続再構成メッセージをＵＥに送信する段階であって、ＲＲＣ接続再構成メッセージは測定間隔情報を含む、段階をさらに備え、一次基地局により、測定間隔情報とタイミングオフセットとに従って計算されＵＥにより送信された補正済み測定間隔情報を受信する段階は、一次基地局により、ＵＥにより送信されたＲＲＣ接続再構成完了メッセージを受信する段階であって、ＲＲＣ接続再構成完了メッセージは、測定間隔情報とタイミングオフセットとに従ってＵＥにより計算された補正済み測定間隔情報を含む、段階を具体的に含む。
【００２４】
第４態様又は第４態様の第１から第３の実装方式のうちの何れか１つに関連して、第４態様の第４の実装方式では、補正済み測定間隔情報及び測定間隔情報は、同じ測定期間を含み、補正済み測定間隔情報は、第１オフセットを含み、測定間隔情報は、第２オフセットを含み、その第１オフセットは、第２オフセットとタイミングオフセットとの合計に対して測定期間でモジュロ演算が実行された後に得られる値である。
【００２５】
第４態様又は第４態様の第１から第４の実装方式のうちの何れか１つに関連して、第４態様の第５の実装方式では、測定間隔情報により示される測定間隔期間は、Ｍ個の連続サブフレームの時間間隔を含み、ここで、Ｍは正の整数であり、補正済み測定間隔情報により示される測定間隔期間は、Ｎ個の連続サブフレームの時間間隔を含み、ここで、Ｎは正の整数であり、Ｎ個のサブフレームは、Ｍ個のサブフレームを含む。
【００２６】
第５態様によれば、本発明の実施形態では、基地局間キャリアアグリゲーションのための測定方法を提供し、当該方法は、ＵＥの二次基地局により、補正済み測定間隔情報を取得する段階であって、補正済み測定間隔情報は、測定間隔情報と、ＵＥの一次基地局と二次基地局との間のタイミングオフセットとに従って取得され、測定間隔情報は、一次基地局により、測定間隔情報により示される測定間隔期間において測定を実行するようＵＥに命令するのに用いられる、段階と、二次基地局により、補正済み測定間隔情報により示された測定間隔期間においてＵＥをスケジューリングすることを停止する段階とを備える。
【００２７】
第５態様に関連して、第５態様の第１の実装方式では、二次基地局により、補正済み測定間隔情報を取得する段階は、二次基地局により、ＵＥの一次基地局により送信された補正済み測定間隔情報を受信する段階、又は、二次基地局により、測定間隔情報とタイミングオフセットとに従って補正済み測定間隔情報を計算する段階を含む。
【００２８】
第５態様の第１の実装方式に関連して、第５態様の第２の実装方式では、二次基地局により、ＵＥの一次基地局により送信された補正済み測定間隔情報を受信する段階は、二次基地局により、測定間隔情報とタイミングオフセットとに従って一次基地局により計算された補正済み測定間隔情報を受信する段階、又は、二次基地局により、測定間隔情報とタイミングオフセットとに従ってＵＥにより計算され一次基地局により送信された補正済み測定間隔情報を受信する段階を含む。
【００２９】
第５態様又は第５態様の第１又は第２の実装方式に関連して、第５態様の第３の実装方式では、補正済み測定間隔情報及び測定間隔情報は、同じ測定期間を含み、補正済み測定間隔情報は、第１オフセットを含み、測定間隔情報は第２オフセットを含み、その第１オフセットは、第２オフセットとタイミングオフセットとの合計に対して測定期間でモジュロ演算が実行された後に得られる値である。
【００３０】
第５態様又は第５態様の第１から第３の実装方式のうちの何れか１つに関連して、第５態様の第４の実装方式では、測定間隔情報により示される測定間隔期間は、Ｍ個の連続サブフレームの時間間隔を含み、ここで、Ｍは正の整数であり、補正済み測定間隔情報により示される測定間隔期間は、Ｎ個の連続サブフレームの時間間隔を含み、ここで、Ｎは正の整数であり、Ｎ個のサブフレームは、Ｍ個のサブフレームを含む。
【００３１】
第６態様によれば、本発明の実施形態では、基地局間キャリアアグリゲーションのための測定方法を提供し、当該方法は、ＵＥにより、ＵＥの一次基地局により送信された測定間隔情報を受信する段階であって、測定間隔情報は、測定間隔情報により示された測定間隔期間において測定を実行するようＵＥに命令するのに用いられる、段階と、ＵＥにより、一次基地局とＵＥの二次基地局との間のタイミングオフセットを一次基地局に送信する段階であって、これにより、一次基地局は、タイミングオフセットに従って補正済み測定間隔情報を取得する、段階、又は、ＵＥにより、測定間隔情報と、一次基地局とＵＥの二次基地局との間のタイミングオフセットとに従って計算された補正済み測定間隔情報を一次基地局に送信する段階であって、補正済み測定間隔情報は、一次基地局により、補正済み測定間隔情報により示される測定間隔期間においてＵＥをスケジューリングすることを停止するよう二次基地局に命令するのに用いられる、段階とを備える。
【００３２】
第６態様に関連して、第６態様の第１の実装方式では、ＵＥにより、一次基地局により送信された測定間隔情報を受信する段階は、ＵＥにより、一次基地局によりＲＲＣ接続再構成メッセージを用いて送信された測定間隔情報を受信する段階を含み、ＵＥにより、測定間隔情報と、一次基地局とＵＥの二次基地局との間のタイミングオフセットとに従って計算された補正済み測定間隔情報を一次基地局に送信する段階は、ＵＥにより、ＲＲＣ接続再構成完了メッセージを用いて補正済み測定間隔情報を一次基地局に送信する段階を含む。
【００３３】
第６態様又は第６態様の第１の実装方式に関連して、第６態様の第２の実装方式では、ＵＥにより、一次基地局とＵＥの二次基地局との間でタイミングオフセットを一次基地局に送信する段階は、ＵＥにより、一次基地局により送信された要求メッセージを受信した後に、タイミングオフセットを送信する段階であって、要求メッセージは、タイミングオフセットを取得してそのタイミングオフセットを一次基地局に報告するようＵＥに要求するのに用いられる、段階、又は、ＵＥにより、インディケーション情報を含み、一次基地局によりＵＥに送信されたメッセージを受信した後に、タイミングオフセットを送信する段階であって、インディケーション情報は、タイミングオフセットを取得してそのタイミングオフセットを一次基地局に報告するようＵＥに要求するのに用いられる、段階、若しくは、ＵＥにより、事前に一次基地局とネゴシエートした、タイミングオフセットを報告するのに用いられる時機を用いて、タイミングオフセットを一次基地局に送信する段階を含む。
【００３４】
本発明の複数の実施形態は、基地局、ユーザ機器、及び基地局間キャリアアグリゲーションのための測定方法に関する。一次基地局、ＵＥ、又は二次基地局が、測定間隔情報と、ＵＥの一次基地局とＵＥの二次基地局との間のタイミングオフセットとに従って補正済み測定間隔情報を計算し、補正済み測定間隔情報を取得した後に、二次基地局は、補正済み測定間隔情報により示される測定間隔期間においてＵＥをスケジューリングすることを停止する。従って、二次基地局は、ユーザ機器の測定間隔期間においてＵＥをスケジューリングすることを停止し、このことは、エアインターフェースリソースの浪費を回避し、ネットワーク伝送効率を向上させ、基地局間キャリアアグリゲーションのための測定機構を如何に設計するかという問題を解決する。
【図面の簡単な説明】
【００３５】
本発明の複数の実施形態複数の技術的解決手段をより明確に説明するために、以下にて、複数の実施形態を説明するのに必要とされる複数の添付の図面を簡潔に説明する。明らかに、以下の明細書における複数の添付の図面は、本発明のいくつかの実施形態を示しており、当業者であれば、創造努力なしで、これらの複数の添付の図面から他の複数の図面をさらに導き出し得る。
【図１】本発明に係る基地局の実施形態１の概略構造図である。
【図２】本発明に係る基地局の実施形態１の第１シグナリングフローチャートである。
【図２Ａ】本発明に係る基地局の実施形態１の第２シグナリングフローチャートである。
【図３】本発明に係る基地局の実施形態２の第１シグナリングフローチャートである。
【図４】本発明に係る基地局の実施形態２の第２シグナリングフローチャートである。
【図５】本発明に係る基地局の実施形態２の第３シグナリングフローチャートである。
【図６】本発明に係る基地局の実施形態２の第４シグナリングフローチャートである。
【図７】本発明に係る基地局の実施形態２におけるフレームフォーマットの概略図である。
【図８】本発明に係る基地局の実施形態２における測定間隔を含むフレームフォーマットの概略図である。
【図９】本発明に係る基地局の実施形態３の概略構造図である。
【図９Ａ】本発明に係る基地局の実施形態３のシグナリングフローチャートである。
【図１０】本発明に係るＵＥの実施形態１の概略構造図である。
【図１１】本発明に係る基地局間キャリアアグリゲーションのための測定方法の実施形態１のフローチャートである。
【図１２】本発明に係る基地局間キャリアアグリゲーションのための測定方法の実施形態２のフローチャートである。
【図１３】本発明に係る基地局間キャリアアグリゲーションのための測定方法の実施形態３のフローチャートである。
【図１４】本発明に係る基地局デバイスの実施形態１の概略構造図である。
【図１５】本発明に係る基地局デバイスの実施形態２の概略構造図である。
【図１６】本発明に係るユーザ機器の実施形態１の概略構造図である。
【発明を実施するための形態】
【００３６】
本発明の複数の実施形態の複数の目的、複数の技術的解決手段、及び複数の利点をより明確にするために、以下にて、本発明の複数の実施形態における複数の添付の図面を参照して、本発明の複数の実施形態における複数の技術的解決手段を明確に説明する。明らかに、説明される複数の実施形態は、本発明の複数の実施形態の一部であり、全てではない。当業者により本発明の複数の実施形態に基づいて創造努力なしで得られる他の全ての実施形態が、本発明の保護範囲内に含まれるべきである。
【００３７】
図１は、本発明に係る基地局の実施形態１の概略構造図である。図２は、本発明に係る基地局の実施形態１の第１シグナリングフローチャートである。図２Ａは、本発明に係る基地局の実施形態１の第２シグナリングフローチャートである。この実施形態は、ＵＥの一次基地局により実行され得て、一次基地局は、ソフトウェア及び／又はハードウェアを用いて実装され得る。この実施形態の解決手段は、一次基地局と、二次基地局と、ユーザ機器とに適用され、基地局間キャリアアグリゲーションのための測定間隔構成を実装する。図１に示されているように、この実施形態における基地局１０が、取得モジュール１０１と送信モジュール１０２とを備える。取得モジュール１０１は、補正済み測定間隔情報を取得するよう構成され、補正済み測定間隔情報は、測定間隔情報と、基地局とＵＥの二次基地局との間のタイミングオフセットとに従って取得され、測定間隔情報は、基地局により、測定間隔情報により示される測定間隔期間において測定を実行するようＵＥに命令するのに用いられ、送信モジュール１０２は、補正済み測定間隔情報を二次基地局に送信するよう構成され、これにより、二次基地局は、補正済み測定間隔情報により示される測定間隔期間においてＵＥをスケジューリングすることを停止する。
【００３８】
具体的に、図２に示されているように、基地局１０の送信モジュール１０２は、取得モジュール１０１により取得された補正済み測定間隔情報を二次基地局に送信する。補正済み測定間隔情報を受信した後に、二次基地局は、補正済み測定間隔期間においてＵＥをスケジューリングせず、つまり、補正済み測定間隔期間において、情報もデータもＵＥと二次基地局との間で転送されない。ここで、補正済み測定間隔情報は、測定間隔情報とタイミングオフセットとに従って計算される。基地局間キャリアアグリゲーションについて、一次基地局及びＵＥの二次基地局は、非同期であってよく、タイミングオフセットは、ＵＥの一次基地局とＵＥの二次基地局との間のタイミングオフセットを指し、又は、一次基地局のセルと二次基地局のセルとの間のタイミングオフセットとして理解されてよい。タイミングオフセットは概して、ＵＥの一次基地局の一次セル（Ｐｒｉｍａｒｙ  Ｃｅｌｌ、略してＰＣｅｌｌ）に関連する時間オフセットであり、つまり、一次セルと二次基地局の任意のセルとの間の時間オフセットである。ＵＥの一次基地局の複数のサービングセルが、マスタセルグループ（Ｍａｓｔｅｒ  Ｃｅｌｌ  Ｇｒｏｕｐ）としてみなされてよく、各二次基地局の全てのサービングセルが、二次セルグループ（Ｓｅｃｏｎｄａｒｙ  Ｃｅｌｌ  Ｇｒｏｕｐ）としてみなされてよい。セルグループに対して、タイミングオフセットは、マスタセルグループと二次セルグループとの間のタイミングオフセットを指す。本発明のこの実施形態は、一次基地局及び二次基地局を用いて説明されているが、セルグループの概念にも適用可能であることに留意されるべきである。
【００３９】
図２に示されているように、補正済み測定間隔情報を二次基地局に送信するとき、その前、又はその後、基地局１０の送信モジュール１０２は、ＲＲＣ接続再構成メッセージを用いて測定間隔情報をＵＥに送信してよく、測定間隔情報を受信した後、ＵＥは、応答メッセージを、つまり、ＲＲＣ接続再構成完了メッセージを一次基地局に返答し、ＵＥは、測定間隔情報により示された測定間隔期間において一次基地局上及び二次基地局上のデータを受信せずに測定を実行する。
【００４０】
二次基地局が一次基地局により示される測定間隔期間においてＵＥをスケジューリングする場合、ＵＥが測定間隔期間において測定を実行しているので、ＵＥはデータを受信又は送信することができず、エアインターフェースリソースの浪費という結果をもたらすが、先述の方法は、このことを回避する。
【００４１】
一次基地局がＵＥの測定間隔構成をリリースすると判断したとき、一次基地局はまた、通知を二次基地局に送信する。これにより、二次基地局は、測定間隔構成をリリースし、ＵＥをスケジューリングするときはもはや測定間隔により限定されない。図２Ａに示されているように、一次基地局は、測定間隔通知メッセージ又はＵＥ情報更新メッセージを用いて、測定間隔構成をリリースするためのメッセージを二次基地局に送信してよく、一次基地局は、ＲＲＣ接続再構成メッセージを用いて、リリースメッセージをＵＥに送信してよく、ここで、それらの複数のメッセージをＵＥと二次基地局とに送信する順序が限定されない。
【００４２】
選択的に、送信モジュール１０２は、通知メッセージ又は更新メッセージを用いて、補正済み測定間隔情報を二次基地局に送信するよう具体的に構成される。
【００４３】
具体的に、送信モジュール１０２は、測定間隔通知（Ｍｅａｓｕｒｅｍｅｎｔ  ｇａｐ  ｎｏｔｉｆｙ）メッセージ又はＵＥ情報更新（ＵＥ  ｉｎｆｏｒｍａｔｉｏｎ  ｕｐｄａｔｅ）メッセージを用いて、補正済み測定間隔情報をＵＥの二次基地局に送信し得る。
【００４４】
この実施形態では、基地局が、測定間隔情報と、ＵＥの一次基地局とＵＥの二次基地局との間のタイミングオフセットとに従って計算された補正済み測定間隔情報を取得し、その補正済み測定間隔情報を二次基地局に送信し、これにより、二次基地局は、補正済み測定間隔情報により示された測定間隔期間においてＵＥをスケジューリングすることを停止する。従って、二次基地局は、ユーザ機器の測定間隔期間においてＵＥをスケジューリングすることを停止し、このことは、エアインターフェースリソースの浪費を回避し、ネットワーク伝送効率を向上させ、基地局間キャリアアグリゲーションのための測定機構を如何に設計するかという問題を解決する。
【００４５】
図３は、本発明に係る基地局の実施形態２の第１シグナリングフローチャートであり、図４は、本発明に係る基地局の実施形態２の第２シグナリングフローチャートであり、図５は、本発明に係る基地局の実施形態２の第３シグナリングフローチャートであり、図６は、本発明に係る基地局の実施形態２の第４シグナリングフローチャートであり、図７は、本発明に係る基地局の実施形態２におけるフレームフォーマットの概略図であり、図８は、本発明に係る基地局の実施形態２における測定間隔を含むフレームフォーマットの概略図である。図１に示される実施形態に基づき、さらに、この実施形態における一次基地局の先述の取得モジュール１０１は、測定間隔情報とタイミングオフセットとに従って補正済み測定間隔情報を計算し、又は、測定間隔情報とタイミングオフセットとに従って計算されＵＥにより送信された補正済み測定間隔情報を受信するよう具体的に構成される。
【００４６】
具体的に、図３に示されているように、基地局１０の取得モジュール１０１は、測定間隔情報とタイミングオフセットとに従って補正済み測定間隔情報を計算し、送信モジュール１０２は、計算された補正済み測定間隔情報を二次基地局に送信する。タイミングオフセットを取得するための具体的な方法として、一次基地局自体が一次基地局の及び二次基地局の複数のセルを監視してタイミングオフセットを得て、又は、一次基地局は、ＵＥを用いてタイミングオフセットを取得する、という方法であり得る。図３における残りの複数の段階が実施形態１のそれらと同じく、詳細についてはここでは再び説明されない。
【００４７】
選択的に、送信モジュール１０２は、ＲＲＣ接続再構成メッセージをＵＥに送信するようさらに構成され、ＲＲＣ接続再構成メッセージは、測定間隔情報を含み、取得モジュールは、ＵＥにより送信されたＲＲＣ接続再構成完了メッセージを受信するよう具体的に構成され、ＲＲＣ接続再構成完了メッセージは、測定間隔情報とタイミングオフセットとに従ってＵＥにより計算された補正済み測定間隔情報を含む。
【００４８】
具体的に、図４に示されているように、基地局１０の取得モジュール１０１は、測定間隔情報とタイミングオフセットとに従ってＵＥにより計算された補正済み測定間隔情報を受信し、補正済み測定間隔情報は、ＵＥにより送信されたＲＲＣ接続再構成完了メッセージを受信することによって取得されてよく、送信モジュール１０２は、補正済み測定間隔情報を二次基地局に転送する。ＵＥが補正済み測定間隔情報を送信する前に、二次基地局が既にＵＥ用に構成されている場合、ＵＥは、その二次基地局と一次基地局との間のタイミングオフセットを取得する（この段階を実行すること及び測定間隔情報を保持するＲＲＣ接続再構成メッセージを受信することの順序は限定されない）。補正済み測定間隔情報が受信される前に、測定間隔情報を含むＲＲＣ接続再構成メッセージは、ＵＥに送信され得る。残りの複数の段階が実施形態１におけるそれらと同じく、詳細についてはここでは再び説明されない。
【００４９】
選択的に、送信モジュール１０２は、タイミングオフセットを取得してそのタイミングオフセットを基地局に報告するようＵＥに要求するのに用いられる要求メッセージをＵＥに送信し、又は、タイミングオフセットを報告するようＵＥに要求するのに用いられるインディケーション情報を含むメッセージをＵＥに送信するようさらに構成され、又は、取得モジュール１０１は、事前にＵＥとネゴシエートした、タイミングオフセットを報告するのに用いられる時機を用いて、ＵＥにより報告されるタイミングオフセットを受信するようさらに構成される。
【００５０】
具体的に、図５に示されているように、補正済み測定間隔情報が計算される前に、基地局の送信モジュール１０２は、要求メッセージを、例えば、タイミングオフセット要求メッセージをＵＥに送信し、取得したタイミングオフセットを一次基地局に報告するようＵＥに要求する。ここで、タイミングオフセット要求メッセージは、ターゲットセル識別子又はターゲット基地局識別子（この実施形態では、ターゲットセル識別子は、ＵＥの二次基地局のセルの識別子であり得て、ターゲット基地局識別子は、二次基地局の識別子であり得る）をさらに備え得る。ＵＥは、要求応答メッセージにタイミングオフセットを追加し、例えば、タイミングオフセット要求応答メッセージにタイミングオフセットを追加し、その要求応答メッセージを一次基地局に送信する。
【００５１】
この実施形態では、タイミングオフセットは、２つのセルの間に対するものである。１つのＵＥに対して、同じ基地局の複数のサービングセルが同期である。基地局の及びターゲット基地局の複数のセルの間のタイミングオフセットを取得する実装方式では、一次セルＰＣｅｌｌ又は一次基地局の任意のサービングセルが、一次基地局のセルとして用いられ、ターゲット基地局は、ＵＥの現在の二次基地局、又はタイミングオフセット要求メッセージにおいて指定された基地局であり、指定されたターゲットセル又はターゲット基地局の任意のサービングセルが、ターゲット基地局のセルとして用いられる。つまり、例えば、ＵＥは、一次基地局の任意のサービングセルとターゲット基地局の任意のサービングセルとの間のタイミングオフセットを取得し、又は、ＵＥは、一次基地局の一次セルＰＣｅｌｌとターゲット基地局の任意のサービングセルとの間のタイミングオフセットを取得し、若しくは、ＵＥは、一次セルＰＣｅｌｌ又は一次基地局の任意のサービングセルと指定されたターゲットセルとの間のタイミングオフセットを取得する、等など。
【００５２】
代替的に、図６に示されているように、基地局１０の送信モジュール１０２はまた、ＵＥに送信されるメッセージにインディケーション情報を追加してよく、インディケーションメッセージは、タイミングオフセットを報告するようＵＥに要求するのに用いられ、例えば、ＲＲＣ接続再構成メッセージの測定構成情報又は二次セル／二次基地局追加情報にインディケーション情報を追加し、タイミングオフセットを報告するようＵＥに要求し、ＵＥは、測定報告又はＲＲＣ接続再構成完了メッセージにタイミングオフセットを追加し、その測定報告又はＲＲＣ接続再構成完了メッセージを基地局に送信する。代替的に、インディケーション情報はまた、黙示的であってよく、例えば、取得モジュール１０１は、事前にＵＥとネゴシエートした、タイミングオフセットを報告するのに用いられる時機を用いて、ＵＥにより報告されるタイミングオフセットを受信し、例えば、ＵＥが二次セル／二次基地局追加要求を受信するとき、ＵＥは、現在追加された二次セル／二次基地局とＰＣｅｌｌとの間のタイミングオフセットを、応答メッセージ（ＲＲＣ接続再構成完了メッセージ）に自動的に追加する。
【００５３】
複数のＵＥの異なる位置を考慮し、複数の無線信号が複数のＵＥに到着する伝送遅延が異なり、従って、複数のＵＥから取得した複数のタイミングオフセットがより正確となる。
【００５４】
選択的に、補正済み測定間隔情報及び測定間隔情報は、同じ測定期間を含み、補正済み測定間隔情報は、第１オフセットを含み、測定間隔情報は、第２オフセットを含み、その第１オフセットは、第２オフセットとタイミングオフセットとの合計に対して測定期間でモジュロ演算が実行された後に得られる値である（つまり、第１オフセット＝（第２オフセット＋タイミングオフセット）モジュロ（測定期間））。
【００５５】
選択的に、測定間隔情報により示される測定間隔期間は、Ｍ個の連続サブフレームの時間間隔を含み、ここで、Ｍは正の整数であり、補正済み測定間隔情報により示される測定間隔期間は、Ｎ個の連続サブフレームの時間間隔を含み、ここで、Ｎは正の整数であり、Ｎ個のサブフレームは、Ｍ個のサブフレームを含む。
【００５６】
Ｍ個の連続サブフレームの時間間隔及びＮ個の連続サブフレームの時間間隔は別々に、測定期間の第１オフセット及び第２オフセットから開始する。
【００５７】
この実施形態では、Ｎ個のサブフレームがＭ個のサブフレームを含むことは、Ｎ個のサブフレームに対応する時間が、Ｍ個のサブフレームに対応する時間をカバーすることを指してよく、又は、Ｍ個のサブフレームは、Ｎ個のサブフレームの一のサブセットであることを指してよい。
【００５８】
本発明のこの実施形態では、Ｍ＝７かつＮ＝６が説明の例として用いられるが、例示的説明が本明細書に提供されることに過ぎず、本発明のこの実施形態はそのように限定されないことに留意されるべきである。
【００５９】
具体的に、複数の測定間隔が、モデル０及びモデル１という２つのモデルに分類され得る。モデル０では、４０ミリ秒（４つのフレームの長さ）が１つの測定期間であり、測定間隔が６ミリ秒（６つのサブフレーム）であり、モデル１では、８０ミリ秒（８つのフレームの長さ）が１つの測定期間であり、測定間隔が６ミリ秒である。
【００６０】
図７に示されているように、ＬＴＥシステムでは、時間領域がフレームとサブフレームとに分割され、１つのフレームが１０ミリ秒を占め、１つのフレームが１０のサブフレームを含み、各サブフレームが１ミリ秒である。一次基地局及び二次基地局が非同期であることは、同じ瞬間において、一次基地局の及び二次基地局のフレーム数及びサブフレーム数が異なり、及び／又は、一次基地局の及び二次基地局のサブフレーム境界が非整列であることを指す。タイミングオフセットは、同じ瞬間における、一次基地局のフレーム数と二次基地局のフレーム数との間の差（複数のサブフレーム境界が非整列であるので、その差は小数を有し得る）、及び、同じ瞬間における、一次基地局のサブフレーム数と二次基地局のサブフレーム数との間の差を指し、又は、一次基地局のフレーム数に対応する時間と二次基地局の同じフレーム数に対応する時間との間の差、及び、一次基地局のサブフレーム数に対応する時間と二次基地局の同じサブフレーム数に対応する時間との間の差を指す。
【００６１】
伝送されるタイミングオフセットは、実際のタイミングオフセットを切り捨て又は切り上げることによって得られてよく、伝送を容易にする。伝送されるタイミングオフセットは、異なる形式にあってよく、例えば、２つの整数が用いられるとして、１つ目の整数がフレーム差ａであり、２つ目の整数がサブフレーム差ｂであり、又は、１つの整数が、一のサブフレーム又はミリ秒差（その差をｃと仮定する）を示すのに用いられ、ここで、実際に、ｃ＝１０＊ａ＋ｂとなる。もちろん、例えば、マイクロ秒（μｓ）などのより細かい粒度のタイミングオフセットも報告されてよい。しかしながら、対応するシグナリングオーバヘッドがより高くなる。本発明のこの実施形態において、そのユニットがサブフレームであり切り捨てることによって得られる１つの整数を用いる方法が、説明のための例として用いられ、複数の他の方法が類推により得られる。
【００６２】
タイミングオフセットが取得された後、補正済み測定間隔情報を計算するための式が以下の通りである。補正済み測定間隔値＝（測定間隔値＋タイミングオフセット）ｍｏｄ４０又は８０
【００６３】
補正後、補正済み測定間隔情報及び測定間隔情報は、同じ測定期間を含む。測定間隔モデルがモデル０（４０ミリ秒の測定期間）である場合、４０が先述の式におけるモジュロ演算を実行するのに用いられ、測定間隔モデルがモデル１（８０ミリ秒の測定期間）である場合、８０が先述の式におけるモジュロ演算を実行するのに用いられる。
【００６４】
補正済み測定間隔情報に含まれる第１オフセットは、先述の式における補正済み測定間隔値であり、測定間隔情報に含まれる第２オフセットは、先述の式における測定間隔値である。
【００６５】
ＵＥに送信された測定間隔について、第２オフセットから開始する６つの連続サブフレーム、つまり、測定間隔情報により示される測定間隔値が、測定間隔期間であるが、補正済み測定間隔について、第１オフセットから開始する７つの連続サブフレーム、つまり、補正済み測定間隔情報により示される補正済み測定間隔値が、測定間隔期間であり、複数の非整列サブフレーム境界によって引き起こされる問題を回避する。
【００６６】
例えば、図８に示されているように、実際のタイミングオフセットが（１０５＊１０＋１．ｘ）−３０＊１０＝７５１．ｘであり、ここで、ｘは、複数のサブフレーム境界の間の差（フレーム１０５におけるサブフレーム１の境界とフレーム３０におけるサブフレーム０の境界との間の差）であり、一次セルのフレーム３０の時点が、開始時間として用いられる。一次セルのフレーム３０及びターゲットセルのフレーム１０５は、ランダムに選択される値であり、本発明では限定されない。一の方式では、一次セルのフレーム３０に対応する時間がターゲットセルのフレーム１０５に対応する時間と同じ、又は近い。伝送されるタイミングオフセットが、実際のタイミングオフセットを切り捨てることによって得られ、７５１である。
【００６７】
測定間隔モデルがモデル０（測定期間が４０ミリ秒）であり、測定間隔情報により示されるオフセットが２１（つまり、第２オフセット）の場合（対応する測定間隔期間については一次セルのグレーの部分を参照）（測定期間がフレーム２８から開始し、測定期間がフレーム数ｍｏｄ４＝０又はフレーム数ｍｏｄ８＝０（モデル１に対応する）から開始し）、補正済み測定間隔情報に含まれる第１オフセットは、（７５１＋２１）ｍｏｄ４０＝１２である（対応する補正済み測定間隔期間についてはターゲットセルのグレーの部分を参照）（期間はフレーム１０４から開始し）、測定間隔期間が７つのサブフレーム間持続し、ここで、測定間隔モデルもモデル０である（測定期間が４０ミリ秒）。
【００６８】
この実施形態では、基地局が、基地局自体により、測定間隔情報と、一次基地局とＵＥの二次基地局との間のタイミングオフセットとに従って計算された補正済み測定間隔情報を取得し、又は、ＵＥにより計算された補正済み測定間隔情報を取得し、その補正済み測定間隔情報を二次基地局に送信し、これにより、二次基地局は、補正済み測定間隔情報により示される測定間隔期間においてＵＥをスケジューリングすることを停止する。従って、二次基地局は、ユーザ機器の測定間隔期間においてＵＥをスケジューリングすることを停止し、このことは、エアインターフェースリソースの浪費を回避し、ネットワーク伝送効率を向上させ、基地局間キャリアアグリゲーションのための測定機構を如何に設計するかという問題を解決する。
【００６９】
図９は、本発明に係る基地局の実施形態３の概略構造図である。図９Ａは、本発明に係る基地局の実施形態３のシグナリングフローチャートである。この実施形態は、ＵＥの二次基地局により実行されてよく、二次基地局は、ソフトウェア及び／又はハードウェアを用いて実装されてよい。この実施形態の解決手段は、一次基地局、二次基地局、及びユーザ機器に適用され、基地局間キャリアアグリゲーションのための測定間隔構成を実装する。
【００７０】
図９に示されているように、この実施形態における基地局９０は、取得モジュール９０１と処理モジュール９０２とを備える。取得モジュール９０１は、補正済み測定間隔情報を取得するよう構成され、補正済み測定間隔情報は、測定間隔情報と、ＵＥの一次基地局と基地局との間のタイミングオフセットとに従って取得され、測定間隔情報は、一次基地局により、測定間隔情報により示される測定間隔期間において測定を実行するようＵＥに命令するのに用いられ、基地局は、ＵＥの二次基地局であり、処理モジュール９０２は、補正済み測定間隔情報により示される測定間隔期間においてＵＥをスケジューリングすることを停止するよう構成される。
【００７１】
具体的に、図２に示されているように、一次基地局は、取得された補正済み測定間隔情報を二次基地局に、つまり、基地局９０に送信し、取得モジュール９０１が補正済み測定間隔情報を取得した後、基地局９０の処理モジュール９０２は、補正済み測定間隔情報により示される測定間隔期間においてＵＥをスケジューリングすることを停止し、つまり、補正済み測定間隔期間において、情報もデータもＵＥと二次基地局との間で転送されず、ここで、補正済み測定間隔情報は、測定間隔情報とタイミングオフセットとに従って計算される。基地局間キャリアアグリゲーションについて、一次基地局及びＵＥの二次基地局が非同期であってよく、タイミングオフセットは、ＵＥの一次基地局とＵＥの二次基地局との間のタイミングオフセットを指し、又は、一次基地局のセルと二次基地局のセルとの間のタイミングオフセットとして理解され得る。タイミングオフセットは概して、ＵＥの一次基地局の一次セル（Ｐｒｉｍａｒｙ  Ｃｅｌｌ、略してＰＣｅｌｌ）に関連する時間オフセットであり、つまり、一次セルと二次基地局の任意のセルとの間の時間オフセットである。ＵＥの一次基地局の複数のサービングセルが、マスタセルグループ（Ｍａｓｔｅｒ  Ｃｅｌｌ  Ｇｒｏｕｐ）としてみなされてよく、各二次基地局の全てのサービングセルが、二次セルグループ（Ｓｅｃｏｎｄａｒｙ  Ｃｅｌｌ  Ｇｒｏｕｐ）としてみなされてよい。セルグループに対して、タイミングオフセットは、マスタセルグループと二次セルグループとの間のタイミングオフセットを指す。本発明のこの実施形態は、一次基地局及び二次基地局を用い説明されているが、セルグループの概念にも適用可能であることに留意されるべきである。
【００７２】
選択的に、取得モジュール９０１は、ＵＥの一次基地局により送信された補正済み測定間隔情報を受信し、又は、測定間隔情報とタイミングオフセットとに従って補正済み測定間隔情報を計算するよう具体的に構成される。
【００７３】
選択的に、取得モジュール９０１は、一次基地局により、測定間隔情報とタイミングオフセットとに従って計算された補正済み測定間隔情報を受信し、又は、測定間隔情報とタイミングオフセットとに従ってＵＥにより計算され一次基地局により送信された補正済み測定間隔情報を受信するよう具体的に構成される。
【００７４】
具体的に、図３に示されているように、一次基地局は、二次基地局に、つまり、基地局９０に、測定間隔情報とタイミングオフセットとに従って計算された補正済み測定間隔情報を送信し、基地局９０の取得モジュール９０１は、その補正済み測定間隔情報を取得する。代替的に、図４に示されているように、一次基地局は、二次基地局に、つまり、基地局９０に、受信され測定間隔情報とタイミングオフセットとに従ってＵＥにより計算された補正済み測定間隔情報を転送し、基地局９０の取得モジュール９０１は、その補正済み測定間隔情報を受信する。代替的に、図９Ａに示されているように、基地局９０の取得モジュール９０１は、測定間隔情報とタイミングオフセットとに従って補正済み測定間隔情報を計算する。
【００７５】
図９Ａに示されているように、一次基地局が二次基地局に補正済み測定間隔情報を送信するとき、その前、又はその後、一次基地局は、ＲＲＣ接続再構成メッセージを用いて、測定間隔情報をＵＥに送信してよく、測定間隔情報を受信した後、ＵＥは、応答メッセージを、つまり、ＲＲＣ接続再構成完了メッセージを一次基地局に返答し、ＵＥは、測定間隔期間において一次基地局上及び二次基地局上のデータを受信せずに測定を実行する。
【００７６】
選択的に、取得モジュール９０１は、一次基地局からタイミングオフセットを取得し、又は、ＵＥからタイミングオフセットを取得し、若しくは、検出によってタイミングオフセットを取得するよう具体的に構成される。
【００７７】
具体的に、取得方法について、取得モジュール９０１は、一次基地局からタイミングオフセットを取得してよく、例えば、測定間隔通知メッセージ又はＵＥ情報更新メッセージを用いて、タイミングオフセットを取得し、又は、Ｘ２／Ｓ１インターフェースのグローバルプロセスメッセージを用いて、タイミングオフセットを取得し、若しくは、ＵＥからタイミングオフセットを取得し、あるいは、一次基地局の及び二次基地局の複数のセルを検出することによってタイミングオフセットを取得し、又は、二次基地局は、別のＵＥの一次基地局として機能し、別のＵＥにより報告することによってタイミングオフセットを取得する。
【００７８】
選択的に、取得モジュール９０１は、タイミングオフセットを取得してそのタイミングオフセットを二次基地局に報告するようＵＥに要求するのに用いられる要求メッセージをＵＥに送信し、又は、タイミングオフセットを報告するようＵＥに要求するのに用いられるインディケーション情報を含むメッセージをＵＥに送信し、若しくは、事前にＵＥとネゴシエートした、タイミングオフセットを報告するのに用いられる時機を用いて、ＵＥにより報告されたタイミングオフセットを受信するよう具体的に構成される。
【００７９】
具体的に、図５に示されているように、補正済み測定間隔情報を計算する前に、二次基地局は、取得モジュール９０１を用いて、要求メッセージをＵＥに送信し、その取得したタイミングオフセットを二次基地局に報告するようＵＥに要求し、要求メッセージは、ターゲットセル識別子又はターゲット基地局識別子をさらに含んでよく（この実施形態では、ターゲットセル識別子は、ＵＥの一次基地局のセルの識別子であってよく、ターゲット基地局識別子は、一次基地局の識別子であってよく）、ＵＥは、要求応答メッセージにタイミングオフセットを追加し、その要求応答メッセージを二次基地局に送信する。
【００８０】
代替的に、図６に示されているように、二次基地局の取得モジュール９０１はまた、ＵＥに送信されるメッセージにインディケーション情報を追加してよく、タイミングオフセットを報告するようＵＥに要求し、例えば、ＲＲＣ接続再構成メッセージの測定構成情報又は二次セル／二次基地局追加情報にインディケーション情報を追加し、そのタイミングオフセットを報告するようＵＥに要求し、ＵＥは、測定報告又はＲＲＣ接続再構成完了メッセージにタイミングオフセットを追加し、測定報告又はＲＲＣ接続再構成完了メッセージを二次基地局に送信する。
【００８１】
代替的に、インディケーション情報はまた、黙示的であってよく、例えば、ＵＥにより報告されるタイミングオフセットが、事前にＵＥとネゴシエートした、タイミングオフセットを報告するのに用いられる時機を用いて、受信され、例えば、ＵＥが二次セル／二次基地局追加要求を受信するとき、ＵＥは、現在の追加された二次セル／二次基地局とＰＣｅｌｌとの間のタイミングオフセットを、応答メッセージ（ＲＲＣ接続再構成完了メッセージ）に自動的に追加する。
【００８２】
選択的に、取得モジュール９０１は、通知メッセージ又は更新メッセージを用いて、一次基地局により送信された補正済み測定間隔情報を受信するよう具体的に構成される。
【００８３】
選択的に、補正済み測定間隔情報及び測定間隔情報は、同じ測定期間を含み、補正済み測定間隔情報は、第１オフセットを含み、測定間隔情報は、第２オフセットを含み、その第１オフセットは、第２オフセットとタイミングオフセットとの合計に対して測定期間でモジュロ演算が実行された後に得られる値である。
【００８４】
選択的に、測定間隔情報により示される測定間隔期間は、Ｍ個の連続サブフレームの時間間隔を含み、ここで、Ｍは正の整数であり、補正済み測定間隔情報により示される測定間隔期間は、Ｎ個の連続サブフレームの時間間隔を含み、ここで、Ｎは正の整数であり、Ｎ個のサブフレームは、Ｍ個のサブフレームを含む。
【００８５】
Ｍ個の連続サブフレームの時間間隔及びＮ個の連続サブフレームの時間間隔は別々に、測定期間の第１オフセット及び第２オフセットから開始する。
【００８６】
この実施形態では、Ｎ個のサブフレームがＭ個のサブフレームを含むことは、Ｎ個のサブフレームに対応する時間がＭ個のサブフレームに対応する時間をカバーすることを指してよく、又は、Ｍ個のサブフレームがＮ個のサブフレームの一のサブセットであることを指してよい。
【００８７】
本発明のこの実施形態では、Ｍ＝７かつＮ＝６が説明のための例として用いられるが、例示的説明が本明細書に提供されることに過ぎず、本発明のこの実施形態はそのように限定されないことに留意されるべきである。
【００８８】
具体的に、複数の測定間隔は、モデル０及びモデル１という２つのモデルに分類され得る。モデル０では、４０ミリ秒（４つのフレームの長さ）が１つの測定期間であり、測定間隔が６ミリ秒（６つのサブフレーム）であり、モデル１では、８０ミリ秒（８つのフレームの長さ）が１つの測定期間であり、測定間隔が６ミリ秒である。
【００８９】
図７に示されているように、ＬＴＥシステムでは、時間領域がフレームとサブフレームとに分割され、１つのフレームが１０ミリ秒を占め、１つのフレームが１０のサブフレームを含み、各サブフレームが１ミリ秒である。一次基地局及び二次基地局が非同期であることは、同じ瞬間において、一次基地局の及び二次基地局のフレーム数及びサブフレーム数が異なり、及び／又は、一次基地局の及び二次基地局の複数のサブフレーム境界が非整列であることを指す。タイミングオフセットは、同じ瞬間における、一次基地局のフレーム数と二次基地局のフレーム数との間の差（複数のサブフレーム境界が非整列であるので、その差は小数を有し得る）、及び、同じ瞬間における、一次基地局のサブフレーム数と二次基地局のサブフレーム数との間の差を指し、又は、一次基地局のフレーム数に対応する時間と二次基地局の同じフレーム数に対応する時間との間の差、及び、一次基地局のサブフレーム数に対応する時間と二次基地局の同じサブフレーム数に対応する時間との間の差を指す。
【００９０】
伝送されるタイミングオフセットが実際のタイミングオフセットを切り捨て又は切り上げることによって得られてよく、伝送を容易にする。伝送されるタイミングオフセットが異なる形式であってよく、例えば、２つの整数が用いられるとして、１つ目の整数がフレーム差ａであり、２つ目の整数がサブフレーム差ｂであり、又は、１つの整数が、サブフレーム又はミリ秒差（その差をｃと仮定し）を示すのに用いられ、ここで、実際に、ｃ＝１０＊ａ＋ｂとなる。もちろん、例えば、マイクロ秒（μｓ）などのより細かい粒度のタイミングオフセットも報告されてよい。しかしながら、対応するシグナリングオーバヘッドがより高くなる。本発明のこの実施形態において、そのユニットがサブフレームであり切り捨てることによって得られる１つの整数を用いる方法が、説明のための例として用いられ、複数の他の方法が類推により得られる。
【００９１】
タイミングオフセットが取得された後、補正済み測定間隔情報を計算するための式が以下の通りである。補正済み測定間隔値＝（測定間隔値＋タイミングオフセット）ｍｏｄ４０又は８０
【００９２】
補正後、補正済み測定間隔情報及び測定間隔情報は、同じ測定期間を含む。測定間隔モデルがモデル０（４０ミリ秒の測定期間）である場合、４０が先述の式におけるモジュロ演算を実行するのに用いられ、測定間隔モデルがモデル１（８０ミリ秒の測定期間）である場合、８０が先述の式におけるモジュロ演算を実行するのに用いられる。
【００９３】
補正済み測定間隔情報に含まれる第１オフセットは、先述の式における補正済み測定間隔値であり、測定間隔情報に含まれる第２オフセットは、先述の式における測定間隔値である。
【００９４】
ＵＥに送信された測定間隔について、第２オフセットから開始する６つの連続サブフレーム、つまり、測定間隔情報により示される測定間隔値が、測定間隔期間であるが、補正済み測定間隔について、第１オフセットから開始する７つの連続サブフレーム、つまり、補正済み測定間隔情報により示される補正済み測定間隔値が、測定間隔期間であり、複数の非整列サブフレーム境界によって引き起こされる問題を回避する。
【００９５】
例えば、図８に示されているように、実際のタイミングオフセットが（１０５＊１０＋１．ｘ）−３０＊１０＝７５１．ｘであり、ここで、ｘは、複数のサブフレーム境界の間の差（フレーム１０５におけるサブフレーム１の境界とフレーム３０におけるサブフレーム０の境界との間の差）であり、一次セルのフレーム３０の時点が、開始時間として用いられる。一次セルのフレーム３０及びターゲットセルのフレーム１０５は、ランダムに選択される値であり、本発明では限定されない。一の方式では、一次セルのフレーム３０に対応する時間が、ターゲットセルのフレーム１０５に対応する時間と同じ、又は近い。伝送されるタイミングオフセットが、実際のタイミングオフセットを切り捨てることによって得られ、７５１である。
【００９６】
測定間隔モデルがモデル０（測定期間が４０ミリ秒）であり、測定間隔情報により示されるオフセットが２１（つまり、第２オフセット）の場合（対応する測定間隔期間については一次セルのグレーの部分を参照）（測定期間がフレーム２８から開始し、測定期間がフレーム数ｍｏｄ４＝０又はフレーム数ｍｏｄ８＝０（モデル１に対応する）から開始し）、補正済み測定間隔情報に含まれる第１オフセットは、（７５１＋２１）ｍｏｄ４０＝１２である（対応する補正済み測定間隔期間についてはターゲットセルのグレーの部分を参照）（期間はフレーム１０４から開始し）、測定間隔期間が７つのサブフレーム間持続し、ここで、測定間隔モデルもモデル０である（測定期間が４０ミリ秒）。
【００９７】
この実施形態では、二次基地局が、補正済み測定間隔情報を取得し、その補正済み測定間隔情報は、二次基地局自体により、測定間隔情報と、ＵＥの一次基地局とＵＥの二次基地局との間のタイミングオフセットとに従って計算された補正済み測定間隔情報であり、又は、一次基地局により送信された補正済み測定間隔情報を受信し、二次基地局は、補正済み測定間隔情報により示される測定間隔期間においてＵＥをスケジューリングすることを停止する。従って、二次基地局は、ＵＥの測定間隔期間においてユーザ機器をスケジューリングすることを停止し、このことは、エアインターフェースリソースの浪費を回避し、ネットワーク伝送効率を向上させ、基地局間キャリアアグリゲーションのための測定機構を如何に設計するかという問題を解決する。
【００９８】
図１０は、本発明に係るＵＥの実施形態１の概略構造図である。この実施形態は、ＵＥにより実行されてよく、ＵＥは、ソフトウェア及び／又はハードウェアを用いて実装されてよい。この実施形態の解決手段は、一次基地局、二次基地局、及びユーザ機器に適用され、基地局間キャリアアグリゲーションのための測定間隔構成を実装する。
【００９９】
図１０に示されているように、この実施形態のＵＥ１００が、受信モジュール１００１と送信モジュール１００２とを備え得る。受信モジュール１００１は、ＵＥの一次基地局により送信される測定間隔情報を受信するよう構成され、測定間隔情報は、測定間隔情報により示される測定間隔期間において測定を実行するようＵＥに命令するのに用いられ、これにより、一次基地局は、タイミングオフセットに従って補正済み測定間隔情報を取得し、送信モジュール１００２は、一次基地局とＵＥの二次基地局との間のタイミングオフセットを一次基地局に送信し、又は、測定間隔情報と、一次基地局とＵＥの二次基地局との間のタイミングオフセットとに従って計算された補正済み測定間隔情報を一次基地局に送信するよう構成され、補正済み測定間隔情報は、一次基地局により、補正済み測定間隔情報により示された測定間隔期間においてＵＥをスケジューリングすることを停止するよう二次基地局に命令するのに用いられる。
【０１００】
具体的に、図４に示されているように、ＵＥの受信モジュール１００１は、一次基地局により送信された測定間隔情報を受信し、これにより、補正済み測定間隔情報は計算され、送信モジュール１００２はその補正済み測定間隔情報を一次基地局に送信する。一次基地局は、補正済み測定間隔情報を二次基地局に転送し、その補正済み測定間隔情報を受信した後、二次基地局は、補正済み測定間隔期間においてＵＥをスケジューリングすることを停止し、ここで、補正済み測定間隔情報は、測定間隔情報とタイミングオフセットとに従って計算される。基地局間キャリアアグリゲーションについて、一次基地局及びＵＥの二次基地局は非同期であってよく、タイミングオフセットは、ＵＥの一次基地局とＵＥの二次基地局との間のタイミングオフセットを指し、又は、一次基地局のセルと二次基地局のセルとの間のタイミングオフセットとして理解されてよい。タイミングオフセットは概して、ＵＥの一次基地局の一次セル（Ｐｒｉｍａｒｙ  Ｃｅｌｌ、略してＰＣｅｌｌ）に関連する時間オフセットであり、つまり、一次セルと二次基地局の任意のセルとの間の時間オフセットである。ＵＥの一次基地局の複数のサービングセルが、マスタセルグループ（Ｍａｓｔｅｒ  Ｃｅｌｌ  Ｇｒｏｕｐ）としてみなされてよく、各二次基地局の全てサービングセルが二次セルグループ（Ｓｅｃｏｎｄａｒｙ  Ｃｅｌｌ  Ｇｒｏｕｐ）としてみなされてよい。セルグループに対して、タイミングオフセットは、マスタセルグループと二次セルグループとの間のタイミングオフセットを指す。本発明のこの実施形態は、一次基地局及び二次基地局を用いて説明されているが、セルグループの概念にも適用可能であることに留意されるべきである。代替的に、図３に示されているように、ＵＥの受信モジュール１００１は、一次基地局により送信された測定間隔情報を受信し、送信モジュール１００２は、一次基地局とＵＥの二次基地局との間のタイミングオフセットを一次基地局に送信し、これにより、一次基地局は、タイミングオフセットに従って補正済み測定間隔情報を取得する。一次基地局は、補正済み測定間隔情報を計算し、補正済み測定間隔情報を二次基地局に転送し、その補正済み測定間隔情報を受信した後、二次基地局は、補正済み測定間隔期間においてＵＥをスケジューリングしない。
【０１０１】
選択的に、受信モジュール１００１は、ＲＲＣ接続再構成メッセージを用いて、一次基地局により送信された測定間隔情報を受信するよう具体的に構成され、送信モジュール１００２は、ＲＲＣ接続再構成完了メッセージを用いて、補正済み測定間隔情報を一次基地局に送信するよう具体的に構成される。
【０１０２】
具体的に、図３及び図４に示されているように、ＵＥの受信モジュール１００１は、ＲＲＣ接続再構成メッセージを用いて、一次基地局により送信された測定間隔情報を受信してよく、ＵＥが測定間隔情報を受信した後、ＵＥは、送信モジュール１００２を用いて、応答メッセージを、つまり、ＲＲＣ接続再構成完了メッセージを一次基地局に返答し、ＵＥは、測定間隔期間において一次基地局上及び二次基地局上のデータを受信せずに測定を実行する。
【０１０３】
この実施形態では、ＵＥは、一次基地局により送信された測定間隔情報を受信し、補正済み測定間隔情報を計算するべく、一次基地局にタイミングオフセットを送信し、又は、ＵＥは、計算された補正済み測定間隔情報を直接に送信し、一次基地局は、その補正済み測定間隔情報を二次基地局に送信し、これにより、その補正済み測定間隔情報を取得した後、二次基地局は、補正済み測定間隔期間においてＵＥをスケジューリングしない。従って、二次基地局は、ユーザ機器の測定間隔期間において、ＵＥをスケジューリングすることを停止し、このことは、エアインターフェースリソースの浪費を回避し、ネットワーク伝送効率を向上させ、基地局間キャリアアグリゲーションのための測定機構を如何に設計するかという問題を解決する。
【０１０４】
本発明のＵＥの実施形態２では、図１０に示される実施形態に基づき、この実施形態におけるＵＥでは、さらに、送信モジュール１００１は、タイミングオフセットを取得してそのタイミングオフセットを一次基地局に報告するようＵＥに要求するのに用いられる、一次基地局により送信された要求メッセージが受信された後、タイミングオフセットを送信し、又は、タイミングオフセットを取得してそのタイミングオフセットを一次基地局に報告するようＵＥに要求するのに用いられるインディケーション情報を含み、一次基地局によりＵＥに送信されたメッセージが受信された後、タイミングオフセットを送信し、若しくは、事前に一次基地局とネゴシエートした、タイミングオフセットを報告するのに用いられる時機を用いて、タイミングオフセットを一次基地局に送信するよう具体的に構成される。
【０１０５】
具体的に、図５に示されているように、一次基地局により送信された要求メッセージが、例えば、タイミングオフセット要求メッセージが受信された後、ＵＥの送信モジュール１００１は、タイミングオフセットを一次基地局に報告し、ここで、タイミングオフセット要求メッセージは、ターゲットセル識別子又はターゲット基地局識別子をさらに含み得る（この実施形態では、ターゲットセル識別子は、ＵＥの二次基地局のセルの識別子であってよく、ターゲット基地局識別子は、二次基地局の識別子であってよい）。ＵＥは、タイミングオフセットを要求応答メッセージに追加し、その要求応答メッセージを一次基地局に送信してよく、例えば、タイミングオフセットをタイミングオフセット要求応答メッセージに追加する。この実施形態では、タイミングオフセットは２つのセルの間に対するものである。１つのＵＥに対して、同じ基地局の複数のサービングセルが同期である。一次基地局の及びターゲット基地局の複数のセルの間のタイミングオフセットを取得する実装方式では、一次セルＰＣｅｌｌ又は一次基地局の任意のサービングセルが、一次基地局のセルとして用いられ、ターゲット基地局は、ＵＥの現在の二次基地局又はタイミングオフセット要求メッセージにおいて指定された基地局であり、指定されたターゲットセル又はターゲット基地局の任意のサービングセルが、ターゲット基地局のセルとして用いられる。つまり、例えば、ＵＥは、一次基地局の任意のサービングセルとターゲット基地局の任意のサービングセルとの間のタイミングオフセットを取得し、又は、ＵＥは、一次基地局の一次セルＰＣｅｌｌとターゲット基地局の任意のサービングセルとの間のタイミングオフセットを取得し、若しくは、ＵＥは、一次セルＰＣｅｌｌ又は一次基地局の任意のサービングセルと指定されたターゲットセルとの間のタイミングオフセットを取得する、等など。
【０１０６】
代替的に、図６に示されているように、一次基地局はまた、ＵＥに送信されるメッセージにインディケーション情報を追加してよく、インディケーションメッセージは、タイミングオフセットを報告するようＵＥに要求するのに用いられ、例えば、一次基地局は、ＲＲＣ接続再構成メッセージの測定構成情報又は二次セル／二次基地局追加情報にインディケーション情報を追加し、タイミングオフセットを報告するようＵＥに要求し、ＵＥは、測定報告又はＲＲＣ接続再構成完了メッセージにタイミングオフセットを追加してよく、その測定報告又はＲＲＣ接続再構成完了メッセージを一次基地局に送信する。代替的に、インディケーション情報はまた、黙示的であってよく、例えば、ＵＥは、事前に一次基地局とネゴシエートした、タイミングオフセットを報告するのに用いられる時機を用いて、タイミングオフセットを送信し、例えば、ＵＥが二次セル／二次基地局追加要求を受信するとき、ＵＥは、現在追加された二次セル／二次基地局とＰＣｅｌｌとの間のタイミングオフセットを応答メッセージ（ＲＲＣ接続再構成完了メッセージ）に自動的に追加する。
【０１０７】
複数のＵＥの異なる位置を考慮し、複数の無線信号が複数のＵＥに到着する伝送遅延が異なり、従って、複数のＵＥから取得した複数のタイミングオフセットがより正確となる。
【０１０８】
この実施形態では、ＵＥはまた、タイミングオフセットを伝送するべく、二次基地局と通信してよく、先述の方式も用いられてよい。
【０１０９】
この実施形態では、ＵＥが、一次基地局により送信されタイミングオフセット要求を保持するメッセージを受信し、タイミングオフセットを一次基地局に送信し、補正済み測定間隔情報を計算し、一次基地局は、その補正済み測定間隔情報を二次基地局に送信し、これにより、二次基地局は、その補正済み測定間隔情報により示される測定間隔期間においてＵＥをスケジューリングすることを停止する。従って、二次基地局は、ユーザ機器の測定間隔期間においてＵＥをスケジューリングすることを停止し、このことは、エアインターフェースリソースの浪費を回避し、ネットワーク伝送効率を向上させ、基地局間キャリアアグリゲーションが導入された後に測定間隔構成を如何に設計するかという問題を解決する。
【０１１０】
図１１は、本発明に係る基地局間キャリアアグリゲーションのための測定方法の実施形態１のフローチャートである。この実施形態は、ＵＥの一次基地局により実行され、一次基地局は、ソフトウェア及び／又はハードウェアを用いて実装され得る。この実施形態の解決手段は、一次基地局、二次基地局、及びユーザ機器に適用され、基地局間キャリアアグリゲーションのための測定間隔構成を実装する。図１１に示されているように、この実施形態における方法は、以下の複数の段階を含む。
【０１１１】
段階１１０１．ＵＥの一次基地局が補正済み測定間隔情報を取得し、補正済み測定間隔情報は、測定間隔情報と、一次基地局とＵＥの二次基地局との間のタイミングオフセットとに従って取得され、測定間隔情報は、一次基地局により、測定間隔情報により示される測定間隔期間において測定を実行するようＵＥに命令するのに用いられる。
【０１１２】
段階１１０２．一次基地局は、補正済み測定間隔情報を二次基地局に送信し、これにより、二次基地局は、補正済み測定間隔情報により示される測定間隔期間においてＵＥをスケジューリングすることを停止する。
【０１１３】
選択的に、一次基地局により、補正済み測定間隔情報を取得する段階は、一次基地局により、測定間隔情報とタイミングオフセットとに従って補正済み測定間隔情報を計算する段階、又は、一次基地局により、測定間隔情報とタイミングオフセットとに従って計算されＵＥにより送信された補正済み測定間隔情報を受信する段階を含む。
【０１１４】
選択的に、一次基地局により、測定間隔情報とタイミングオフセットとに従って補正済み測定間隔情報を計算する段階の前に、方法は、一次基地局により、タイミングオフセットを取得してそのタイミングオフセットを一次基地局に報告するようＵＥに要求するのに用いられる要求メッセージをＵＥに送信する段階、又は、一次基地局により、タイミングオフセットを報告するようＵＥに要求するのに用いられるインディケーション情報を含むメッセージをＵＥに送信する段階、若しくは、一次基地局により、事前にＵＥとネゴシエートした、タイミングオフセットを報告するのに用いられる時機を用いて、ＵＥにより報告されたタイミングオフセットを受信する段階を備える。
【０１１５】
選択的に、この実施形態における方法は、一次基地局により、ＲＲＣ接続再構成メッセージをＵＥに送信する段階であって、ＲＲＣ接続再構成メッセージは測定間隔情報を含む、段階をさらに備え、一次基地局により、測定間隔情報とタイミングオフセットとに従って計算されＵＥにより送信された補正済み測定間隔情報を受信する段階は、一次基地局により、ＵＥにより送信されたＲＲＣ接続再構成完了メッセージを受信する段階であって、ＲＲＣ接続再構成完了メッセージは、測定間隔情報とタイミングオフセットとに従ってＵＥにより計算された補正済み測定間隔情報を含む、段階を具体的に含む。
【０１１６】
選択的に、一次基地局により、補正済み測定間隔情報を二次基地局に送信する段階は、一次基地局により、測定間隔通知メッセージなどの通知メッセージ又はＵＥ情報更新メッセージなどの更新メッセージを用いて、補正済み測定間隔情報を二次基地局に送信する段階を含む。
【０１１７】
選択的に、補正済み測定間隔情報及び測定間隔情報は、同じ測定期間を含み、補正済み測定間隔情報は、第１オフセットを含み、測定間隔情報は、第２オフセットを含み、その第１オフセットは、第２オフセットとタイミングオフセットとの合計に対して測定期間でモジュロ演算が実行された後に得られる値である。
【０１１８】
選択的に、測定間隔情報により示される測定間隔期間は、Ｍ個の連続サブフレームの時間間隔を含み、ここで、Ｍは正の整数であり、補正済み測定間隔情報により示される測定間隔期間は、Ｎ個の連続サブフレームの時間間隔を含み、ここで、Ｎは正の整数であり、Ｎ個のサブフレームは、Ｍ個のサブフレームを含む。
【０１１９】
この実施形態における方法では、基地局の実施形態１及び実施形態２における構造は、この実施形態における方法の技術的解決手段を実行するのに用いられてよく、それらの実装原則及び技術効果は同様であり、詳細はここでは再び説明されない。
【０１２０】
図１２は、本発明に係る基地局間キャリアアグリゲーションのための測定間隔構成方法の実施形態２のフローチャートである。この実施形態は、ＵＥの二次基地局により実行され、二次基地局は、ソフトウェア及び／又はハードウェアを用いて実装され得る。この実施形態の解決手段は、一次基地局、二次基地局、及びユーザ機器に適用され、基地局間キャリアアグリゲーションのための測定間隔構成を実装する。図１２に示されているように、この実施形態における方法は以下の複数の段階を備え得る。
【０１２１】
段階１２０１．ＵＥの二次基地局が補正済み測定間隔情報を取得し、補正済み測定間隔情報は、測定間隔情報と、ＵＥの一次基地局と二次基地局との間のタイミングオフセットとに従って取得され、測定間隔情報は、一次基地局により、測定間隔情報により示された測定間隔期間において測定を実行するようＵＥに命令するのに用いられる。
【０１２２】
段階１２０２．二次基地局は、補正済み測定間隔情報により示される測定間隔期間においてＵＥをスケジューリングすることを停止する。
【０１２３】
選択的に、二次基地局により、補正済み測定間隔情報を取得する段階は、二次基地局により、ＵＥの一次基地局により送信された補正済み測定間隔情報を受信する段階、又は、二次基地局により、測定間隔情報とタイミングオフセットとに従って補正済み測定間隔情報を計算する段階を含む。
【０１２４】
選択的に、二次基地局により、ＵＥの一次基地局により送信された補正済み測定間隔情報を受信する段階は、二次基地局により、測定間隔情報とタイミングオフセットとに従って一次基地局により計算された補正済み測定間隔情報を受信する段階、又は、二次基地局により、測定間隔情報とタイミングオフセットとに従ってＵＥにより計算され一次基地局により送信された補正済み測定間隔情報を受信する段階を含む。
【０１２５】
選択的に、二次基地局により、ＵＥの一次基地局により送信された補正済み測定間隔情報を受信する段階は、二次基地局により、通知メッセージ又は更新メッセージを用いて、一次基地局により送信された補正済み測定間隔情報を受信する段階を含む。
【０１２６】
選択的に、補正済み測定間隔情報及び測定間隔情報は、同じ測定期間を含み、補正済み測定間隔情報は、第１オフセットを含み、測定間隔情報は、第２オフセットを含み、その第１オフセットは、第２オフセットとタイミングオフセットとの合計に対して測定期間でモジュロ演算が実行された後に得られる値である。
【０１２７】
選択的に、測定間隔情報により示される測定間隔期間は、Ｍ個の連続サブフレームの時間間隔を含み、ここで、Ｍは正の整数であり、補正済み測定間隔情報により示される測定間隔期間は、Ｎ個の連続サブフレームの時間間隔を含み、ここで、Ｎは正の整数であり、Ｎ個のサブフレームは、Ｍ個のサブフレームを含む。
【０１２８】
この実施形態における方法では、基地局の実施形態３における構造は、この実施形態における方法の技術的解決手段を実行するのに用いられてよく、それらの実装原則及び技術効果は同様であり、詳細はここでは再び説明されない。
【０１２９】
図１３は、本発明に係る基地局間キャリアアグリゲーションのための測定間隔構成方法の実施形態３のフローチャートである。この実施形態は、ＵＥにより実行され、ＵＥは、ソフトウェア及び／又はハードウェアを用いて実装され得る。この実施形態の解決手段は、一次基地局、二次基地局、及びユーザ機器に適用され、基地局間キャリアアグリゲーションのための測定間隔構成を実装する。図１３に示されているように、この実施形態における方法は以下の複数の段階を備え得る。
【０１３０】
段階１３０１．ＵＥが、ＵＥの一次基地局により送信された測定間隔情報を受信し、測定間隔情報は、測定間隔情報により示される測定間隔期間において測定を実行するようＵＥに命令するのに用いられる。
【０１３１】
段階１３０２．ＵＥは、一次基地局とＵＥの二次基地局との間のタイミングオフセットを一次基地局に送信し、これにより、一次基地局は、そのタイミングオフセットに従って補正済み測定間隔情報を取得し、又は、ＵＥは、測定間隔情報と、一次基地局とＵＥの二次基地局との間のタイミングオフセットとに従って計算された補正済み測定間隔情報を一次基地局に送信し、ここで、補正済み測定間隔情報は、一次基地局により、補正済み測定間隔情報により示される測定間隔期間においてＵＥをスケジューリングすることを停止するよう二次基地局に命令するのに用いられる。
【０１３２】
選択的に、ＵＥにより、一次基地局により送信された測定間隔情報を受信する段階は、ＵＥにより、ＲＲＣ接続再構成メッセージを用いて、一次基地局により送信された測定間隔情報を受信する段階を含み、それに応じて、ＵＥにより、測定間隔情報と、一次基地局とＵＥの二次基地局との間のタイミングオフセットとに従って計算された補正済み測定間隔情報を一次基地局に送信する段階は、ＵＥにより、ＲＲＣ接続再構成完了メッセージを用いて、補正済み測定間隔情報を一次基地局に送信する段階を含む。
【０１３３】
選択的に、ＵＥにより、一次基地局とＵＥの二次基地局との間のタイミングオフセットを一次基地局に送信する段階は、ＵＥにより、一次基地局により送信された要求メッセージを受信した後に、タイミングオフセットを送信する段階であって、要求メッセージは、タイミングオフセットを取得してそのタイミングオフセットを一次基地局に報告するようＵＥに要求するのに用いられる、段階、又は、インディケーション情報を含み、一次基地局によりＵＥに送信されたメッセージを受信した後に、ＵＥにより、タイミングオフセットを送信する段階であって、インディケーション情報は、タイミングオフセットを取得してそのタイミングオフセットを一次基地局に報告するようＵＥに要求するのに用いられる、段階、若しくは、ＵＥにより、事前に一次基地局とネゴシエートした、タイミングオフセットを報告するのに用いられる時機を用いて、タイミングオフセットを一次基地局に送信する段階を含む。
【０１３４】
この実施形態における方法では、ＵＥの実施形態における構造は、この実施形態における方法の技術的解決手段を実行するのに用いられてよく、それらの実装原則及び技術効果は同様であり、詳細はここでは再び説明されない。
【０１３５】
図１４は、本発明に係る基地局デバイスの実施形態１の概略構造図である。図１４に示されているように、この実施形態に提供される基地局デバイス１４０は、ネットワークインターフェース１４０１と、バス１４０２と、プロセッサ１４０３と、メモリ１４０４とを備え、ネットワークインターフェース１４０１、メモリ１４０４、及びプロセッサ１４０３は、バス１４０２に接続される。この実施形態における基地局デバイスは、ユーザ機器の一次基地局であってよく、基地局デバイス１４０は、送信機及び受信機をさらに含んでよい。送信機及び受信機は、ネットワークインターフェース１４０１に接続されてよい。送信機は、データ又は情報を送信するよう構成され、受信機は、データ又は情報を受信するよう構成され、メモリ１４０４は、実行命令を記憶するよう構成される。基地局デバイス１４０が起動されるとき、プロセッサ１４０３とメモリ１４０４とは互いに通信し、プロセッサ１４０３は、以下の複数の段階を実行するようメモリ１４０４における実行命令を呼び出すよう構成される。補正済み測定間隔情報を取得する段階であって、補正済み測定間隔情報は、測定間隔情報と、ＵＥの一次基地局とＵＥの二次基地局との間のタイミングオフセットとに従って取得され、測定間隔情報は、一次基地局により、測定間隔情報により示された測定間隔期間において測定を実行するようＵＥに命令するのに用いられる、段階、及び、ネットワークインターフェース１４０１により、補正済み測定間隔情報を二次基地局に送信する段階であって、これにより、二次基地局は、補正済み測定間隔情報により示された測定間隔期間においてＵＥをスケジューリングすることを停止する、段階である。
【０１３６】
選択的に、補正済み測定間隔情報を取得する段階は、測定間隔情報とタイミングオフセットとに従って補正済み測定間隔情報を計算する段階、又は、ネットワークインターフェース１４０１により、測定間隔情報とタイミングオフセットとに従って計算されＵＥにより送信された補正済み測定間隔情報を受信する段階を含む。
【０１３７】
選択的に、測定間隔情報とタイミングオフセットとに従って補正済み測定間隔情報を計算する段階の前に、プロセッサは、以下の複数の段階を実行するようさらに構成される。ネットワークインターフェース１４０１により、要求メッセージをＵＥに送信する段階であって、要求メッセージは、タイミングオフセットを取得してそのタイミングオフセットを基地局に報告するようＵＥに要求するのに用いられる、段階、又は、ネットワークインターフェース１４０１により、インディケーション情報を含むメッセージをＵＥに送信する段階であって、インディケーション情報は、タイミングオフセットを報告するようＵＥに要求するのに用いられる、段階、若しくは、ネットワークインターフェース１４０１により、事前にＵＥとネゴシエートした、タイミングオフセットを報告するのに用いられる時機を用いて、ＵＥにより報告されたタイミングオフセットを受信する段階である。
【０１３８】
選択的に、プロセッサは、以下の複数の段階を実行するようさらに構成される。ネットワークインターフェース１４０１により、ＲＲＣ接続再構成メッセージをＵＥに送信する段階であって、ＲＲＣ接続再構成メッセージは、測定間隔情報を含む、段階であり、ネットワークインターフェース１４０１により、測定間隔情報とタイミングオフセットとに従って計算されＵＥにより送信された補正済み測定間隔情報を受信する段階は、ネットワークインターフェース１４０１により、ＵＥにより送信されたＲＲＣ接続再構成完了メッセージを受信する段階であって、ＲＲＣ接続再構成完了メッセージは、測定間隔情報とタイミングオフセットとに従ってＵＥにより計算された補正済み測定間隔情報を含む、段階を具体的に含む。
【０１３９】
選択的に、ネットワークインターフェース１４０１により、補正済み測定間隔情報を二次基地局に送信する段階は、ネットワークインターフェース１４０１により、通知メッセージ又は更新メッセージを用いて、補正済み測定間隔情報を二次基地局に送信する段階を含む。
【０１４０】
選択的に、補正済み測定間隔情報及び測定間隔情報は、同じ測定期間を含み、補正済み測定間隔情報は、第１オフセットを含み、測定間隔情報は、第２オフセットを含み、その第１オフセットは、第２オフセットとタイミングオフセットとの合計に対して測定期間でモジュロ演算が実行された後に得られる値である。
【０１４１】
選択的に、測定間隔情報により示される測定間隔期間は、Ｍ個の連続サブフレームの時間間隔を含み、ここで、Ｍは正の整数であり、補正済み測定間隔情報により示される測定間隔期間は、Ｎ個の連続サブフレームの時間間隔を含み、ここで、Ｎは正の整数であり、Ｎ個のサブフレームは、Ｍ個のサブフレームを含む。
【０１４２】
この実施形態では、基地局デバイスが、測定間隔情報と、ＵＥの一次基地局とＵＥの二次基地局との間のタイミングオフセットとに従って計算された補正済み測定間隔情報を取得し、その補正済み測定間隔情報を二次基地局に送信し、これにより、二次基地局は、その補正済み測定間隔情報により示された測定間隔期間においてＵＥをスケジューリングすることを停止する。従って、二次基地局は、ＵＥの測定間隔期間においてユーザ機器をスケジューリングすることを停止し、このことは、エアインターフェースリソースの浪費を回避し、ネットワーク伝送効率を向上させ、基地局間キャリアアグリゲーションのための測定機構を如何に設計するかという問題を解決する。
【０１４３】
図１５は、本発明に係る基地局デバイスの実施形態２の概略構造図である。図１５に示されているように、この実施形態に提供される基地局デバイス１５０が、ネットワークインターフェース１５０１と、バス１５０２と、プロセッサ１５０３と、メモリ１５０４とを備え、ネットワークインターフェース１５０１、メモリ１５０４、及びプロセッサ１５０３は、バス１５０２に接続される。この実施形態における基地局デバイスは、ユーザ機器の二次基地局であり得る。基地局デバイス１５０は、送信機及び受信機をさらに備え得る。送信機及び受信機は、ネットワークインターフェース１５０１に接続され得る。送信機は、データ又は情報を送信するよう構成され、受信機は、データ又は情報を受信するよう構成され、メモリ１５０４は、実行命令を記憶するよう構成される。基地局デバイス１５０が起動されるとき、プロセッサ１５０３とメモリ１５０４とは互いに通信し、プロセッサ１５０３は、以下の複数の段階を実行するようメモリ１５０４における実行命令を呼び出す。補正済み測定間隔情報を取得する段階であって、補正済み測定間隔情報は、測定間隔情報と、ＵＥの一次基地局とＵＥの二次基地局との間のタイミングオフセットとに従って取得され、測定間隔情報は、一次基地局により、測定間隔情報により示された測定間隔期間において測定を実行するようＵＥに命令するのに用いられる、段階、及び、補正済み測定間隔情報により示される測定間隔期間においてＵＥをスケジューリングすることを停止する段階である。
【０１４４】
選択的に、補正済み測定間隔情報を取得する段階は、ネットワークインターフェース１５０１により、ＵＥの一次基地局により送信された補正済み測定間隔情報を受信する段階、又は、測定間隔情報とタイミングオフセットとに従って補正済み測定間隔情報を計算する段階を含む。
【０１４５】
選択的に、ネットワークインターフェース１５０１により、ＵＥの一次基地局により送信された補正済み測定間隔情報を受信する段階は、ネットワークインターフェース１５０１により、測定間隔情報とタイミングオフセットとに従って一次基地局により計算された補正済み測定間隔情報を受信する段階、又は、ネットワークインターフェース１５０１により、測定間隔情報とタイミングオフセットとに従ってＵＥにより計算され一次基地局により送信された補正済み測定間隔情報を受信する段階を含む。
【０１４６】
選択的に、ネットワークインターフェース１５０１により、ＵＥの一次基地局により送信された補正済み測定間隔情報を受信する段階は、ネットワークインターフェース１５０１により、通知メッセージ又は更新メッセージを用いて、一次基地局により送信された補正済み測定間隔情報を受信する段階を含む。
【０１４７】
選択的に、補正済み測定間隔情報及び測定間隔情報は、同じ測定期間を含み、補正済み測定間隔情報は、第１オフセットを含み、測定間隔情報は、第２オフセットを含み、その第１オフセットは、第２オフセットとタイミングオフセットとの合計に対して測定期間でモジュロ演算が実行された後に得られる値である。
【０１４８】
選択的に、測定間隔情報により示される測定間隔期間は、Ｍ個の連続サブフレームの時間間隔を含み、ここで、Ｍは正の整数であり、補正済み測定間隔情報により示される測定間隔期間は、Ｎ個の連続サブフレームの時間間隔を含み、ここで、Ｎは正の整数であり、Ｎ個のサブフレームは、Ｍ個のサブフレームを含む。
【０１４９】
この実施形態では、二次基地局が、補正済み測定間隔情報を取得し、補正済み測定間隔情報は、二次基地局自体により、測定間隔情報と、ＵＥの一次基地局とＵＥの二次基地局との間のタイミングオフセットとに従って計算された補正済み測定間隔情報であり、又は、一次基地局により送信された補正済み測定間隔情報を受信し、二次基地局は、その補正済み測定間隔情報により示される測定間隔期間においてＵＥをスケジューリングすることを停止する。従って、二次基地局は、ユーザ機器の測定間隔期間においてＵＥをスケジューリングすることを停止し、このことは、エアインターフェースリソースの浪費を回避し、ネットワーク伝送効率を向上させ、基地局間キャリアアグリゲーションのための測定機構を如何に設計するかという問題を解決する。
【０１５０】
図１６は、本発明に係るユーザ機器の実施形態１の概略構造図である。図１６に示されているように、この実施形態に提供されるユーザ機器１６０が、ネットワークインターフェース１６０１と、バス１６０２と、プロセッサ１６０３と、メモリ１６０４とを備え、ネットワークインターフェース１６０１、メモリ１６０４、及びプロセッサ１６０３は、バス１６０２に接続される。ユーザ機器１６０は、送信機及び受信機をさらに備え得る。送信機及び受信機は、ネットワークインターフェース１６０１に接続され得る。送信機は、データ又は情報を送信するよう構成され、受信機は、データ又は情報を受信するよう構成され、メモリ１６０４は、実行命令を記憶するよう構成される。ユーザ機器１６０が起動されるとき、プロセッサ１６０３とメモリ１６０４とは互いに通信し、プロセッサ１６０３は、以下の複数の段階を実行するようメモリ１６０４における実行命令を呼び出す。ネットワークインターフェース１６０１により、ＵＥの一次基地局により送信された測定間隔情報を受信する段階であって、測定間隔情報は、測定間隔情報により示される測定間隔期間において測定を実行するようＵＥに命令するのに用いられる、段階、及び、ネットワークインターフェース１６０１により、一次基地局とＵＥの二次基地局との間のタイミングオフセットを一次基地局に送信する段階であって、これにより、一次基地局は、そのタイミングオフセットに従って補正済み測定間隔情報を取得する、段階、又は、ネットワークインターフェース１６０１により、測定間隔情報と、一次基地局とＵＥの二次基地局との間のタイミングオフセットとに従って計算された補正済み測定間隔情報を一次基地局に送信する段階であって、補正済み測定間隔情報は、一次基地局により、補正済み測定間隔情報により示される測定間隔期間においてＵＥをスケジューリングすることを停止するよう二次基地局に命令するのに用いられる、段階である。
【０１５１】
選択的に、ネットワークインターフェース１６０１により、ＵＥの一次基地局により送信された測定間隔情報を受信する段階は、ネットワークインターフェース１６０１により、ＲＲＣ接続再構成メッセージを用いて、一次基地局により送信された測定間隔情報を受信する段階を含み、ネットワークインターフェース１６０１により、測定間隔情報と、一次基地局とＵＥの二次基地局との間のタイミングオフセットとに従って計算された補正済み測定間隔情報を一次基地局に送信する段階は、ネットワークインターフェース１６０１により、ＲＲＣ接続再構成完了メッセージを用いて、補正済み測定間隔情報を一次基地局に送信する段階を含む。
【０１５２】
選択的に、ネットワークインターフェース１６０１により、一次基地局とＵＥの二次基地局との間のタイミングオフセットを一次基地局に送信する段階は、ネットワークインターフェース１６０１により、一次基地局により送信された要求メッセージを受信した後に、ネットワークインターフェース１６０１により、タイミングオフセットを送信する段階であって、要求メッセージは、タイミングオフセットを取得してそのタイミングオフセットを一次基地局に報告するようＵＥに要求するのに用いられる、段階、又は、ネットワークインターフェース１６０１により、インディケーション情報を含み、一次基地局によりＵＥに送信されたメッセージを受信した後、ネットワークインターフェース１６０１により、タイミングオフセットを送信する段階であって、インディケーション情報は、タイミングオフセットを取得してそのタイミングオフセットを一次基地局に報告するようＵＥに要求するのに用いられる、段階、若しくは、ＵＥにより、ネットワークインターフェース１６０１により、事前に一次基地局とネゴシエートした、タイミングオフセットを報告するのに用いられる時機を用いて、タイミングオフセットを一次基地局に送信する段階を含む。
【０１５３】
この実施形態では、ＵＥが、一次基地局により送信され、タイミングオフセット要求を保持するメッセージを受信し、補正済み測定間隔情報を計算すべく、タイミングオフセットを一次基地局に送信し、一次基地局は、その補正済み測定間隔情報を二次基地局に送信し、これにより、二次基地局は、補正済み測定間隔情報により示される測定間隔期間においてＵＥをスケジューリングすることを停止する。従って、二次基地局は、ユーザ機器の測定間隔期間においてＵＥをスケジューリングすることを停止し、このことは、エアインターフェースリソースの浪費を回避し、ネットワーク伝送効率を向上させ、基地局間キャリアアグリゲーションのための測定機構を如何に設計するかという問題を解決する。
【０１５４】
本出願に提供されるいくつかの実施形態では、開示されているデバイス及び方法が他の方式で実装され得ることは理解されるべきである。例えば、説明されているデバイスの実施形態は単に、例示的なものである。例えば、ユニット又はモジュールの分割は単に、論理的機能の分割であり、実際の実装では他の分割であり得る。例えば、複数のユニット又はモジュールが組み合わされ又は別のシステムに統合されてよく、又は、いくつかの特徴が無視されてよく又は実行されなくてもよい。加えて、表示され又は説明されている複数の相互結合、又は複数の直接結合、若しくは複数の通信接続は、いくつかのインターフェースを用いて実装され得る。複数のデバイス又はモジュールの間の複数の間接的結合又は複数の通信接続は、電子的、機械的、又は他の形式で実装され得る。
【０１５５】
別個の部分として説明されている複数のモジュールは、物理的に離れても離れていなくてもよく、複数のモジュールとして表示されている複数の部分が、物理的モジュールであってもそうでなくてもよく、１つの位置に配置されてよく、複数のネットワークユニット上に分散されてもよい。複数のモジュールのうちの一部又は全てが、複数の実施形態の解決手段の目的を達成するべく、実際の要件に従って選択され得る。
【０１５６】
当業者であれば、方法の実施形態の複数の段階のうちの全て又は一部が、適切なハードウェアに命令するプログラムにより実装され得ることを理解し得る。プログラムは、コンピュータ可読記憶媒体に記憶され得る。プログラムが起動されたとき、方法の実施形態の複数の段階が実行される。先述の記憶媒体は、ＲＯＭ、ＲＡＭ、磁気ディスク、又は光ディスクなど、プログラムコードを記憶することができる任意の媒体を含む。
【０１５７】
最後に、先述の実施形態は単に、本発明の複数の技術的解決手段を説明することを意図しており、本発明を制限することを意図しないことが留意されるべきである。本発明について、先述の実施形態に関連して詳細に説明されているが、当業者であれば、彼らはさらに、本発明の複数の実施形態の技術的解決手段の範囲から逸脱することなく、先述の実施形態にて説明されている複数の技術的解決手段に対して変更を行ってよく、又は、それらの一部の又は全ての技術的特徴に対して同等の置換を行ってよいことを理解すべきである。
（項目１）
基地局であって、
補正済み測定間隔情報を取得するよう構成される取得モジュールであって、前記補正済み測定間隔情報は、測定間隔情報と、前記基地局とユーザ機器ＵＥの二次基地局との間のタイミングオフセットとに従って取得され、前記測定間隔情報は、前記基地局により、前記測定間隔情報により示される測定間隔期間において測定を実行するよう前記ＵＥに命令するのに用いられる、取得モジュールと、
前記二次基地局に前記補正済み測定間隔情報を送信するよう構成される送信モジュールであって、これにより、前記二次基地局は、前記補正済み測定間隔情報により示される測定間隔期間において前記ＵＥをスケジューリングすることを停止する、送信モジュールと
を備える
基地局。
（項目２）
前記取得モジュールは、前記測定間隔情報と前記タイミングオフセットとに従って前記補正済み測定間隔情報を計算し、又は、前記測定間隔情報と前記タイミングオフセットとに従って計算され前記ＵＥにより送信された前記補正済み測定間隔情報を受信するよう具体的に構成される、
項目１に記載の基地局。
（項目３）
前記送信モジュールは、前記タイミングオフセットを取得して前記タイミングオフセットを前記基地局に報告するよう前記ＵＥに要求するのに用いられる要求メッセージを前記ＵＥに送信し、又は、前記タイミングオフセットを報告するよう前記ＵＥに要求するのに用いられるインディケーション情報を含むメッセージを前記ＵＥに送信するようさらに構成され、又は、
前記取得モジュールは、事前に前記ＵＥとネゴシエートした、前記タイミングオフセットを報告するのに用いられる時機を用いて、前記ＵＥにより報告される前記タイミングオフセットを受信するようさらに構成される、
項目２に記載の基地局。
（項目４）
前記送信モジュールは、無線リソース制御ＲＲＣ接続再構成メッセージを前記ＵＥに送信するようさらに構成され、前記ＲＲＣ接続再構成メッセージは、前記測定間隔情報を含み、
前記取得モジュールは、前記ＵＥにより送信されたＲＲＣ接続再構成完了メッセージを受信するよう具体的に構成され、前記ＲＲＣ接続再構成完了メッセージは、前記測定間隔情報と前記タイミングオフセットとに従って前記ＵＥにより計算された前記補正済み測定間隔情報を含む、
項目１に記載の基地局。
（項目５）
前記補正済み測定間隔情報及び前記測定間隔情報は、同じ測定期間を含み、
前記補正済み測定間隔情報は、第１オフセットを含み、前記測定間隔情報は、第２オフセットを含み、前記第１オフセットは、前記第２オフセットと前記タイミングオフセットとの合計に対して前記測定期間でモジュロ演算が実行された後に得られる値である、
項目１から４の何れか一項に記載の基地局。
（項目６）
前記測定間隔情報により示される前記測定間隔期間は、Ｍ個の連続サブフレームの時間間隔を含み、ここで、Ｍは正の整数であり、
前記補正済み測定間隔情報により示される前記測定間隔期間は、Ｎ個の連続サブフレームの時間間隔を含み、ここで、Ｎは正の整数であり、前記Ｎ個のサブフレームは、前記Ｍ個のサブフレームを含む、
項目１から５の何れか一項に記載の基地局。
（項目７）
基地局であって、
補正済み測定間隔情報を取得するよう構成される取得モジュールであって、前記補正済み測定間隔情報は、測定間隔情報と、ユーザ機器ＵＥの一次基地局と前記基地局との間のタイミングオフセットとに従って取得され、前記測定間隔情報は、前記一次基地局により、前記測定間隔情報により示される測定間隔期間において測定を実行するよう前記ＵＥに命令するのに用いられる、取得モジュールと、
前記補正済み測定間隔情報により示される測定間隔期間において前記ＵＥをスケジューリングすることを停止するよう構成される処理モジュールと、
を備える
基地局。
（項目８）
前記取得モジュールは、前記ＵＥの前記一次基地局により送信された前記補正済み測定間隔情報を受信し、又は、前記測定間隔情報と前記タイミングオフセットとに従って前記補正済み測定間隔情報を計算するよう具体的に構成される、
項目７に記載の基地局。
（項目９）
前記取得モジュールは、前記測定間隔情報と前記タイミングオフセットとに従って前記一次基地局により計算された前記補正済み測定間隔情報を受信し、又は、
前記測定間隔情報と前記タイミングオフセットとに従って前記ＵＥにより計算され前記一次基地局により送信された前記補正済み測定間隔情報を受信し、若しくは、
前記測定間隔情報と前記タイミングオフセットとに従って前記補正済み測定間隔情報を計算する
よう具体的に構成される、
項目７又は８に記載の基地局。
（項目１０）
前記補正済み測定間隔情報及び前記測定間隔情報は、同じ測定期間を含み、前記補正済み測定間隔情報は、第１オフセットを含み、前記測定間隔情報は、第２オフセットを含み、前記第１オフセットは、前記第２オフセットと前記タイミングオフセットの合計に対して前記測定期間でモジュロ演算が実行された後に得られる値である、
項目７から９の何れか一項に記載の基地局。
（項目１１）
前記測定間隔情報により示される前記測定間隔期間は、Ｍ個の連続サブフレームの時間間隔を含み、ここで、Ｍは正の整数であり、
前記補正済み測定間隔情報により示される前記測定間隔期間は、Ｎ個の連続サブフレームの時間間隔を含み、ここで、Ｎは正の整数であり、前記Ｎ個のサブフレームは、前記Ｍ個のサブフレームを含む、
項目７から１０の何れか一項に記載の基地局。
（項目１２）
ユーザ機器ＵＥであって、
前記ユーザ機器ＵＥの一次基地局により送信される測定間隔情報を受信するよう構成される受信モジュールであって、前記測定間隔情報は、前記測定間隔情報により示される測定間隔期間において測定を実行するよう前記ＵＥに命令するのに用いられる、受信モジュールと、
前記一次基地局と前記ＵＥの二次基地局との間のタイミングオフセットを前記一次基地局に送信するよう構成される送信モジュールであって、これにより、前記一次基地局は、前記タイミングオフセットに従って補正済み測定間隔情報を取得する送信モジュール、又は、前記測定間隔情報と、前記一次基地局と前記ＵＥの二次基地局との間のタイミングオフセットとに従って計算された補正済み測定間隔情報を前記一次基地局に送信するよう構成される送信モジュールと
を備え、
前記補正済み測定間隔情報は、前記一次基地局により、前記補正済み測定間隔情報により示される測定間隔期間において前記ＵＥをスケジューリングすることを停止するよう前記二次基地局に命令するのに用いられる、
ユーザ機器ＵＥ。
（項目１３）
前記受信モジュールは、無線リソース制御ＲＲＣ接続再構成メッセージを用いて、前記一次基地局により送信された前記測定間隔情報を受信するよう具体的に構成され、
前記送信モジュールは、ＲＲＣ接続再構成完了メッセージを用いて、前記補正済み測定間隔情報を前記一次基地局に送信するよう具体的に構成される、
項目１２に記載のＵＥ。
（項目１４）
前記送信モジュールは、
前記一次基地局により送信された、前記タイミングオフセットを取得して前記タイミングオフセットを前記一次基地局に報告するよう前記ＵＥに要求するのに用いられる要求メッセージが受信された後に、前記タイミングオフセットを送信し、又は、
前記タイミングオフセットを取得して前記タイミングオフセットを前記一次基地局に報告するよう前記ＵＥに要求するのに用いられるインディケーション情報を含み、前記一次基地局により前記ＵＥに送信されたメッセージが受信された後に、前記タイミングオフセットを送信し、若しくは、
事前に一次基地局とネゴシエートした、前記タイミングオフセットを報告するのに用いられる時機を用いて、前記タイミングオフセットを前記一次基地局に送信する
よう具体的に構成される、
項目１２に記載のＵＥ。
（項目１５）
基地局間キャリアアグリゲーションのための測定方法であって、
ユーザ機器ＵＥの一次基地局により、補正済み測定間隔情報を取得する段階であって、前記補正済み測定間隔情報は、測定間隔情報と、前記一次基地局と前記ＵＥの二次基地局との間のタイミングオフセットとに従って取得され、前記測定間隔情報は、前記一次基地局により、前記測定間隔情報により示される測定間隔期間において測定を実行するよう前記ＵＥに命令するのに用いられる、段階と、
前記一次基地局により前記補正済み測定間隔情報を前記二次基地局に送信する段階であって、これにより、前記二次基地局は、前記補正済み測定間隔情報により示される測定間隔期間において前記ＵＥをスケジューリングすることを停止する、段階と
を備える
方法。
（項目１６）
一次基地局により、補正済み測定間隔情報を取得する前記段階は、前記一次基地局により、前記測定間隔情報と前記タイミングオフセットとに従って前記補正済み測定間隔情報を計算する段階、又は、前記一次基地局により、前記測定間隔情報と前記タイミングオフセットとに従って計算され前記ＵＥにより送信された前記補正済み測定間隔情報を受信する段階を含む、
項目１５に記載の方法。
（項目１７）
前記一次基地局により、前記測定間隔情報と前記タイミングオフセットとに従って前記補正済み測定間隔情報を計算する前記段階の前に、
前記一次基地局により、要求メッセージを前記ＵＥに送信する段階であって、前記要求メッセージは、前記タイミングオフセットを取得して前記タイミングオフセットを前記一次基地局に報告するよう前記ＵＥに要求するのに用いられる、段階、又は、
前記一次基地局により、インディケーション情報を含むメッセージを前記ＵＥに送信する段階であって、前記インディケーション情報は、前記タイミングオフセットを報告するよう前記ＵＥに要求するのに用いられる、段階、若しくは、
前記一次基地局により、事前に前記ＵＥとネゴシエートした、前記タイミングオフセットを報告するのに用いられる時機を用いて、前記ＵＥにより報告された前記タイミングオフセットを受信する段階
を備える
項目１６に記載の方法。
（項目１８）
前記一次基地局により、無線リソース制御ＲＲＣ接続再構成メッセージを前記ＵＥに送信する段階であって、前記ＲＲＣ接続再構成メッセージは、前記測定間隔情報を含む、段階をさらに備え、
前記一次基地局により、前記測定間隔情報と前記タイミングオフセットとに従って計算され前記ＵＥにより送信された前記補正済み測定間隔情報を受信する前記段階は、前記一次基地局により、前記ＵＥにより送信されたＲＲＣ接続再構成完了メッセージを受信する段階であって、前記ＲＲＣ接続再構成完了メッセージは、前記測定間隔情報と前記タイミングオフセットとに従って前記ＵＥにより計算された前記補正済み測定間隔情報を含む、段階を具体的に含む、
項目１６に記載の方法。
（項目１９）
前記補正済み測定間隔情報及び前記測定間隔情報は、同じ測定期間を含み、
前記補正済み測定間隔情報は、第１オフセットを含み、前記測定間隔情報は、第２オフセットを含み、前記第１オフセットは、前記第２オフセットと前記タイミングオフセットの合計に対して前記測定期間でモジュロ演算が実行された後に得られる値である、
項目１５から１８の何れか一項に記載の方法。
（項目２０）
前記測定間隔情報により示される前記測定間隔期間は、Ｍ個の連続サブフレームの時間間隔を含み、ここで、Ｍは正の整数であり、
前記補正済み測定間隔情報により示される前記測定間隔期間は、Ｎ個の連続サブフレームの時間間隔を含み、ここで、Ｎは正の整数であり、前記Ｎ個のサブフレームは、前記Ｍ個のサブフレームを含む、
項目１５から１９の何れか一項に記載の方法。
（項目２１）
基地局間キャリアアグリゲーションのための測定方法であって、
ユーザ機器ＵＥの二次基地局により、補正済み測定間隔情報を取得する段階であって、前記補正済み測定間隔情報は、測定間隔情報と、前記ＵＥの一次基地局と前記二次基地局との間のタイミングオフセットとに従って取得され、前記測定間隔情報は、前記一次基地局により、前記測定間隔情報により示される測定間隔期間において測定を実行するよう前記ＵＥに命令するのに用いられる、段階と、
前記二次基地局により、前記補正済み測定間隔情報により示される測定間隔期間において前記ＵＥをスケジューリングすることを停止する段階と
を備える
方法。
（項目２２）
二次基地局により、補正済み測定間隔情報を取得する前記段階は、前記二次基地局により、前記ＵＥの前記一次基地局により送信された前記補正済み測定間隔情報を受信する段階、又は、前記二次基地局により、前記測定間隔情報と前記タイミングオフセットとに従って前記補正済み測定間隔情報を計算する段階を含む、
項目２１に記載の方法。
（項目２３）
前記二次基地局により、前記ＵＥの前記一次基地局に送信された前記補正済み測定間隔情報を受信する前記段階は、前記二次基地局により、前記測定間隔情報と前記タイミングオフセットとに従って前記一次基地局により計算された前記補正済み測定間隔情報を受信する段階、又は、前記二次基地局により、前記測定間隔情報と前記タイミングオフセットとに従って前記ＵＥにより計算され前記一次基地局により送信された前記補正済み測定間隔情報を受信する段階を含む、
項目２２に記載の方法。
（項目２４）
前記補正済み測定間隔情報及び前記測定間隔情報は、同じ測定期間を含み、
前記補正済み測定間隔情報は、第１オフセットを含み、前記測定間隔情報は、第２オフセットを含み、前記第１オフセットは、前記第２オフセットと前記タイミングオフセットとの合計に対して前記測定期間でモジュロ演算が実行された後に得られる値である、
項目２１から２３の何れか一項に記載の方法。
（項目２５）
前記測定間隔情報により示される前記測定間隔期間は、Ｍ個の連続サブフレームの時間間隔を含み、ここで、Ｍは正の整数であり、
前記補正済み測定間隔情報により示される前記測定間隔期間は、Ｎ個の連続サブフレームの時間間隔を含み、ここで、Ｎは正の整数であり、前記Ｎ個のサブフレームは、前記Ｍ個のサブフレームを含む、
項目２１から２４の何れか一項に記載の方法。
（項目２６）
基地局間キャリアアグリゲーションのための測定方法であって、
ユーザ機器ＵＥにより、前記ＵＥの一次基地局により送信された測定間隔情報を受信する段階であって、前記測定間隔情報は、前記測定間隔情報により示される測定間隔期間において測定を実行するよう前記ＵＥに命令するのに用いられる、段階と、
前記ＵＥにより、前記一次基地局と前記ＵＥの二次基地局との間のタイミングオフセットを前記一次基地局に送信する段階であって、これにより、前記一次基地局は、前記タイミングオフセットに従って補正済み測定間隔情報を取得する、段階、又は、前記ＵＥにより、前記測定間隔情報と、前記一次基地局と前記ＵＥの二次基地局との間のタイミングオフセットとに従って計算された補正済み測定間隔情報を前記一次基地局に送信する段階であって、前記補正済み測定間隔情報は、前記一次基地局により、前記補正済み測定間隔情報により示される測定間隔期間において前記ＵＥをスケジューリングすることを停止するよう前記二次基地局に命令するのに用いられる、段階と
を備える
方法。
（項目２７）
ＵＥにより、一次基地局により送信された測定間隔情報を受信する前記段階は、前記ＵＥにより、無線リソース制御ＲＲＣ接続再構成メッセージを用いて、前記一次基地局により送信された前記測定間隔情報を受信する段階を含み、
前記ＵＥにより、前記測定間隔情報と、前記一次基地局と前記ＵＥの二次基地局との間のタイミングオフセットとに従って計算された前記補正済み測定間隔情報を前記一次基地局に送信する前記段階は、前記ＵＥにより、ＲＲＣ接続再構成完了メッセージを用いて、前記補正済み測定間隔情報を前記一次基地局に送信する段階を含む、
項目２６に記載の方法。
（項目２８）
前記ＵＥにより、前記一次基地局と前記ＵＥの二次基地局との間のタイミングオフセットを前記一次基地局に送信する前記段階は、
前記ＵＥにより、前記一次基地局により送信された要求メッセージを受信した後に、前記タイミングオフセットを送信する段階であって、前記要求メッセージは、前記タイミングオフセットを取得して前記タイミングオフセットを前記一次基地局に報告するよう前記ＵＥに要求するのに用いられる、段階、又は、
前記ＵＥにより、インディケーション情報を含み、前記一次基地局により前記ＵＥに送信されたメッセージを受信した後に、前記タイミングオフセットを送信する段階であって、前記インディケーション情報は、前記タイミングオフセットを取得して前記タイミングオフセットを前記一次基地局に報告するよう前記ＵＥに要求するのに用いられる、若しくは、
前記ＵＥにより、事前に前記一次基地局とネゴシエートした、前記タイミングオフセットを報告するのに用いられる時機を用いて、前記タイミングオフセットを前記一次基地局に送信する段階
を含む、
項目２６に記載の方法。
【図１】
2018198431.tif 000003
【図２】
2018198431.tif 000004
【図２Ａ】
2018198431.tif 000005
【図３】
2018198431.tif 000006
【図４】
2018198431.tif 000007
【図５】
2018198431.tif 000008
【図６】
2018198431.tif 000009
【図７】
2018198431.tif 000010
【図８】
2018198431.tif 000011
【図９】
2018198431.tif 000012
【図９Ａ】
2018198431.tif 000013
【図１０】
2018198431.tif 000014
【図１１】
2018198431.tif 000015
【図１２】
2018198431.tif 000016
【図１３】
2018198431.tif 000017
【図１４】
2018198431.tif 000018
【図１５】
2018198431.tif 000019
【図１６】
2018198431.tif 000020
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
無線通信システムであって、
ユーザ機器（ＵＥ）の一次基地局と、前記ＵＥの二次基地局とを備え、
前記一次基地局は、前記一次基地局と前記二次基地局との間のタイミングオフセットを前記二次基地局へ送信するように構成され、
前記二次基地局は、前記タイミングオフセットを前記一次基地局から受信するように構成され、
前記二次基地局は更に補正済み測定間隔情報を、測定間隔情報と前記タイミングオフセットとに従って取得するように構成され、前記測定間隔情報は、前記ＵＥにより、前記測定間隔情報により示される測定間隔期間において測定を実行するのに用いられ、
前記二次基地局は更に前記補正済み測定間隔情報により示される測定間隔期間において前記ＵＥをスケジューリングすることを停止するように構成される、無線通信システム。
【請求項２】
前記測定間隔情報により示される前記測定間隔期間は、Ｍ個の連続サブフレームの時間間隔を含み、ここで、Ｍは正の整数であり、
前記補正済み測定間隔情報により示される前記測定間隔期間は、Ｎ個の連続サブフレームの時間間隔を含み、ここで、Ｎは正の整数であり、前記Ｎ個のサブフレームは、前記Ｍ個のサブフレームを含む、請求項１に記載の無線通信システム。
【請求項３】
前記Ｍの値が６であり、前記Ｎの値が７である、請求項２に記載の無線通信システム。
【請求項４】
前記一次基地局は更に、前記ＵＥにインディケーション情報を含むメッセージを送信するように構成され、前記インディケーション情報は、タイミングオフセットを報告するよう前記ＵＥに要求するのに用いられ、
前記一次基地局は更に、前記ＵＥから前記タイミングオフセットを受信するように構成される、請求項１から３の何れか一項に記載の無線通信システム。
【請求項５】
前記システムは前記ＵＥを更に備え、
前記ＵＥは、前記一次基地局からインディケーション情報を含む前記メッセージを受信するように構成され、
前記ＵＥは、更に、前記タイミングオフセットを前記一次基地局へ送信するように構成される、請求項４に記載の無線通信システム。
【請求項６】
前記インディケーション情報を含む前記メッセージは、無線リソース制御（ＲＲＣ）接続再構成メッセージである、請求項４または５に記載の無線通信システム。
【請求項７】
無線通信システムにおける方法であって、
ユーザ機器（ＵＥ）の一次基地局によって、前記一次基地局と前記ＵＥの二次基地局との間のタイミングオフセットを前記二次基地局へ送信する段階と、
前記二次基地局によって、前記タイミングオフセットを前記一次基地局から受信する段階と、
前記二次基地局によって、補正済み測定間隔情報を測定間隔情報と前記タイミングオフセットとに従って取得する段階であり、前記測定間隔情報は、前記ＵＥにより前記測定間隔情報により示される測定間隔期間において測定を実行するのに用いられる、取得する段階と、
前記二次基地局によって、前記補正済み測定間隔情報により示される測定間隔期間において前記ＵＥをスケジューリングすることを停止する段階と、
を備える、方法。
【請求項８】
前記測定間隔情報により示される前記測定間隔期間は、Ｍ個の連続サブフレームの時間間隔を含み、ここで、Ｍは正の整数であり、
前記補正済み測定間隔情報により示される前記測定間隔期間は、Ｎ個の連続サブフレームの時間間隔を含み、ここで、Ｎは正の整数であり、前記Ｎ個のサブフレームは、前記Ｍ個のサブフレームを含む、請求項７に記載の方法。
【請求項９】
前記Ｍの値が６であり、前記Ｎの値が７である、請求項８に記載の方法。
【請求項１０】
前記一次基地局によって、前記ＵＥにインディケーション情報を含むメッセージを送信する段階であって、前記インディケーション情報は、タイミングオフセットを報告するよう前記ＵＥに要求するのに用いられる、送信する段階と、
前記一次基地局によって、前記ＵＥから前記タイミングオフセットを受信する段階と、
を更に備える、請求項７から９の何れか一項に記載の方法。
【請求項１１】
前記ＵＥによって、前記一次基地局からインディケーション情報を含む前記メッセージを受信する段階と、
前記ＵＥによって、前記タイミングオフセットを前記一次基地局へ送信する段階と、
を更に備える、
請求項１０に記載の方法。
【請求項１２】
前記インディケーション情報を含む前記メッセージは、無線リソース制御（ＲＲＣ）接続再構成メッセージである、請求項１０または１１に記載の方法。
【請求項１３】
プログラムが記録されたコンピュータ可読媒体であって、前記プログラムは、ユーザ機器（ＵＥ）の二次基地局に、
補正済み測定間隔情報を取得させ、前記補正済み測定間隔情報は、測定間隔情報と、前記ＵＥの一次基地局と前記二次基地局との間のタイミングオフセットとに従って取得され、前記測定間隔情報は、前記ＵＥにより、前記測定間隔情報により示される測定間隔期間において測定を実行するのに用いられ、
前記補正済み測定間隔情報により示される測定間隔期間において前記ＵＥをスケジューリングすることを停止させる、コンピュータ可読媒体。
【請求項１４】
前記プログラムは前記二次基地局に、前記タイミングオフセットを前記一次基地局から受信させる、請求項１３に記載のコンピュータ可読媒体。
【請求項１５】
前記測定間隔情報により示される前記測定間隔期間は、Ｍ個の連続サブフレームの時間間隔を含み、ここで、Ｍは正の整数であり、
前記補正済み測定間隔情報により示される前記測定間隔期間は、Ｎ個の連続サブフレームの時間間隔を含み、ここで、Ｎは正の整数であり、前記Ｎ個のサブフレームは、前記Ｍ個のサブフレームを含む、請求項１３または１４に記載のコンピュータ可読媒体。
【請求項１６】
前記Ｍの値が６であり、前記Ｎの値が７である、請求項１５に記載のコンピュータ可読媒体。
【請求項１７】
プログラムが記録されたコンピュータ可読媒体であって、前記プログラムは、ユーザ機器（ＵＥ）の一次基地局に、
インディケーション情報を含むメッセージを前記ＵＥへ送信させ、前記インディケーション情報は、前記一次基地局と前記ＵＥの二次基地局との間のタイミングオフセットを報告するよう前記ＵＥに要求するのに用いられ、前記タイミングオフセットは、前記二次基地局が補正済み測定間隔情報を取得するために用いられ、前記補正済み測定間隔情報は、前記補正済み測定間隔情報により示される測定間隔期間において前記二次基地局が前記ＵＥをスケジューリングすることを停止することを示すために用いられ、
前記ＵＥから前記タイミングオフセットを受信させる、コンピュータ可読媒体。
【請求項１８】
前記プログラムは、前記一次基地局に、前記タイミングオフセットを前記二次基地局へ送信させる、請求項１７に記載のコンピュータ可読媒体。
【請求項１９】
前記インディケーション情報を含む前記メッセージは、無線リソース制御（ＲＲＣ）接続再構成メッセージである、請求項１７または１８に記載のコンピュータ可読媒体。
【請求項２０】
プログラムが記録されたコンピュータ可読媒体であって、前記プログラムは、ユーザ機器（ＵＥ）に、
前記ＵＥの一次基地局からインディケーション情報を含むメッセージを受信させ、前記インディケーション情報は、前記一次基地局と、前記ＵＥの二次基地局との間のタイミングオフセットを報告するよう前記ＵＥに要求するのに用いられ、前記タイミングオフセットは、前記二次基地局が補正済み測定間隔情報を取得するために用いられ、
前記補正済み測定間隔情報は、前記補正済み測定間隔情報により示される測定間隔期間において前記二次基地局が前記ＵＥをスケジューリングすることを停止することを示すために用いられ、
前記タイミングオフセットを送信させる、コンピュータ可読媒体。
【請求項２１】
前記インディケーション情報を含む前記メッセージは、無線リソース制御（ＲＲＣ）接続再構成メッセージである、請求項２０に記載のコンピュータ可読媒体。